(57)【要約】  本発明は、サービスプロバイダＩＤ提供方法、装置、アクセス機器および端末機器を提供する。当該方法において、アクセス先のサービスプロバイダの第１形式の第１サービスプロバイダＩＤに対応する第２形式の第２サービスプロバイダＩＤを確定することと、第１アクセス機器から送信される第２形式の第３サービスプロバイダＩＤを取得し、第３サービスプロバイダＩＤに第２サービスプロバイダＩＤが含まれると、第１アクセス機器を選択してサービスプロバイダにアクセスすること、または、第１アクセス機器から送信される第２形式の第３サービスプロバイダＩＤを取得し、第１アクセス機器にサポートされて第３サービスプロバイダＩＤに対応する第１形式の第４サービスプロバイダＩＤを確定し、第４サービスプロバイダＩＤに第１サービスプロバイダＩＤが含まれると、第１アクセス機器を選択してサービスプロバイダにアクセスすることを含む。【選択図】  図４
2019507989.tif 000002
【特許請求の範囲】
【請求項１】
端末機器に用いられるサービスプロバイダＩＤ提供方法において、
アクセス先のサービスプロバイダの第１形式の第１サービスプロバイダＩＤに対応する第２形式の第２サービスプロバイダＩＤを確定することと、
第１アクセス機器から送信される第２形式の第３サービスプロバイダＩＤを取得し、該第３サービスプロバイダＩＤに前記第２サービスプロバイダＩＤが含まれると、前記第１アクセス機器を選択して前記サービスプロバイダにアクセスすること、または、前記第１アクセス機器から送信される第２形式の前記第３サービスプロバイダＩＤを取得し、前記第１アクセス機器にサポートされて前記第３サービスプロバイダＩＤに対応する第１形式の第４サービスプロバイダＩＤを確定し、該第４サービスプロバイダＩＤに前記第１サービスプロバイダＩＤが含まれると、前記第１アクセス機器を選択して前記サービスプロバイダにアクセスすることを含むサービスプロバイダＩＤ提供方法。
【請求項２】
前記第１アクセス機器から送信される第２形式の前記第３サービスプロバイダＩＤを取得することは、
前記第１アクセス機器から送信される第２形式の前記第３サービスプロバイダＩＤが付帯される通知メッセージを前記第１アクセス機器から受信することを含む請求項１に記載の方法。
【請求項３】
前記端末機器のアクセス先の前記サービスプロバイダの第１形式の前記第１サービスプロバイダＩＤに対応する第２形式の前記第２サービスプロバイダＩＤを確定することは、
前記サービスプロバイダの第１形式のサービスプロバイダＩＤと第２形式のサービスプロバイダＩＤとのマッピング関係を取得し、該マッピング関係に基づいて、前記端末機器のアクセス先の前記サービスプロバイダの第１形式の前記第１サービスプロバイダＩＤに対応する第２形式の前記第２サービスプロバイダＩＤを確定すること、
または、前記アクセス機器にサポートされる前記サービスプロバイダの第１形式の前記第１サービスプロバイダＩＤに対応する第２形式の前記第２サービスプロバイダＩＤを算出すること、
または、前記アクセス機器にサポートされる前記サービスプロバイダの第１形式の前記第１サービスプロバイダＩＤのうちの指定位置から抽出されるパラメータから、対応する第２形式の前記第２サービスプロバイダＩＤを生成すること、
または、アクセス先の前記サービスプロバイダの第１形式の前記第１サービスプロバイダＩＤの指定部分を、対応する第２形式の前記第２サービスプロバイダＩＤとすることを含む請求項１に記載の方法。
【請求項４】
前記第１アクセス機器にサポートされて前記第３サービスプロバイダＩＤに対応する第１形式の前記第４サービスプロバイダＩＤを確定することは、
前記サービスプロバイダの第１形式のサービスプロバイダＩＤと第２形式のサービスプロバイダＩＤとのマッピング関係を取得することと、
該マッピング関係に基づいて、前記第１アクセス機器にサポートされて前記第３サービスプロバイダＩＤに対応する第１形式の前記第４サービスプロバイダＩＤを確定することとを含む請求項１に記載の方法。
【請求項５】
前記サービスプロバイダの第１形式の前記サービスプロバイダＩＤと第２形式の前記サービスプロバイダＩＤとの前記マッピング関係を取得することは、
初回でネットワークにアクセスする際に、該ネットワークにサポートされてアクセス先のサービスプロバイダの第１形式の第５サービスプロバイダＩＤを使用して前記端末機器の登録を行うことと、
登録完了後に、前記サービスプロバイダの第１形式の前記サービスプロバイダＩＤと第２形式の前記サービスプロバイダＩＤとの前記マッピング関係を前記ネットワークのサーバからダウンロードし、それから前記第５サービスプロバイダＩＤに対応するネットワークからログアウトすることとを含む請求項３または請求項４に記載の方法。
【請求項６】
初回で前記ネットワークにアクセスする際に、該ネットワークにサポートされてアクセス先の前記サービスプロバイダの第１形式の前記第５サービスプロバイダＩＤを使用して登録を行うことは、
初回で前記ネットワークにアクセスする際に、該ネットワークの第２アクセス機器に第１接続確立要求メッセージを送信することと、
無線接続確立が完了すると、前記ネットワークにサポートされてアクセス先の前記サービスプロバイダの第１形式の前記第５サービスプロバイダＩＤが付帯される第１アタッチ要求メッセージを、前記第２アクセス機器に対応する第１移動性管理エンティティに送信して前記端末機器の登録を行うこととを含む請求項５に記載の方法。
【請求項７】
前記サービスプロバイダの第１形式の前記サービスプロバイダＩＤと第２形式の前記サービスプロバイダＩＤとの前記マッピング関係を取得することは、
前記サービスプロバイダの第１形式の前記サービスプロバイダＩＤと第２形式の前記サービスプロバイダＩＤとの前記マッピング関係を、非アクセス層ＮＡＳメッセージによって取得することを含む請求項３または請求項４に記載の方法。
【請求項８】
前記サービスプロバイダの第１形式の前記サービスプロバイダＩＤと第２形式の前記サービスプロバイダＩＤとの前記マッピング関係を、前記非アクセス層ＮＡＳメッセージによって取得することは、
前記端末機器が前記第１アクセス機器を選択すると、該第１アクセス機器に第２接続確立要求メッセージを送信することと、
前記第１アクセス機器との無線接続確立が完了すると、アクセス先の前記サービスプロバイダの第１形式の前記第１サービスプロバイダＩＤが付帯される第２アタッチ要求ＮＡＳメッセージを、前記第１アクセス機器に対応する第２移動性管理エンティティに送信することと、
前記サービスプロバイダの第１形式の前記サービスプロバイダＩＤと第２形式の前記サービスプロバイダＩＤとの前記マッピング関係が含まれるアタッチ受信ＮＡＳメッセージを、前記第２移動性管理エンティティから受信すること、または、前記サービスプロバイダの第１形式の前記サービスプロバイダＩＤと第２形式の前記サービスプロバイダＩＤとの前記マッピング関係が含まれるアタッチ拒否ＮＡＳメッセージを、前記第２移動性管理エンティティから受信し、それから改めて他のアクセス機器を選択して前記サービスプロバイダにアクセスすることを含む請求項７に記載の方法。
【請求項９】
前記第１アクセス機器にサポートされる第１形式の前記サービスプロバイダＩＤにアクセス先の前記サービスプロバイダの第１形式の前記第１サービスプロバイダＩＤが含まれるかを確定することをさらに含み、そうであると、引き続き前記第１アクセス機器を介して前記サービスプロバイダにアクセスするが、そうでなければ、改めて他のアクセス機器を選択して前記サービスプロバイダにアクセスする請求項１に記載の方法。
【請求項１０】
前記第１アクセス機器にサポートされる第１形式の前記サービスプロバイダＩＤにアクセス先の前記サービスプロバイダの第１形式の前記第１サービスプロバイダＩＤが含まれるかを確定することは、
前記第１アクセス機器にサポートされる前記サービスプロバイダの第１形式の前記サービスプロバイダＩＤの送信を前記第１アクセス機器に要求するための第１要求情報を前記第１アクセス機器に送信することと、
該第１アクセス機器にサポートされる前記サービスプロバイダの第１形式の前記サービスプロバイダＩＤが含まれる第１応答メッセージを前記第１アクセス機器から受信することと、
該第１アクセス機器にサポートされる第１形式の前記サービスプロバイダＩＤにアクセス先の前記サービスプロバイダの第１形式の前記第１サービスプロバイダＩＤが含まれるかを判断することとを含む請求項９に記載の方法。
【請求項１１】
前記第１要求情報を前記第１アクセス機器に送信することは、
無線リソース制御ＲＲＣ接続確立要求メッセージ、競合解決要求メッセージまたはＲＲＣ接続確立完了メッセージによって、前記第１要求情報を前記第１アクセス機器に送信することを含む請求項１０に記載の方法。
【請求項１２】
前記第１アクセス機器にサポートされる第１形式の前記サービスプロバイダＩＤにアクセス先の前記サービスプロバイダの第１形式の前記第１サービスプロバイダＩＤが含まれるかを確定することは、
アクセス先の前記サービスプロバイダの第１形式の前記第１サービスプロバイダＩＤを前記第１アクセス機器に送信することと、
該第１アクセス機器のアクセス可否に基づいて、前記第１アクセス機器にサポートされる第１形式の前記サービスプロバイダＩＤにアクセス先の前記サービスプロバイダの第１形式の前記第１サービスプロバイダＩＤが含まれるかを判断することとを含む請求項９に記載の方法。
【請求項１３】
アクセス先の前記サービスプロバイダの第１形式の前記第１サービスプロバイダＩＤを前記第１アクセス機器に送信し、前記第１アクセス機器のアクセス可否に基づいて、前記第１アクセス機器にサポートされる第１形式の前記サービスプロバイダＩＤにアクセス先の前記サービスプロバイダの第１形式の前記第１サービスプロバイダＩＤが含まれるかを判断することは、
アクセス先の前記サービスプロバイダの第１形式の前記第１サービスプロバイダＩＤを競合解決要求メッセージによって前記第１アクセス機器に送信し、アクセス先の前記サービスプロバイダの第１形式の前記第１サービスプロバイダＩＤが前記第１アクセス機器にサポートされないことが前記第１アクセス機器から受信した競合解決応答メッセージによって指示されると、前記第１アクセス機器にサポートされる第１形式の前記サービスプロバイダＩＤにアクセス先の前記サービスプロバイダの第１形式の前記第１サービスプロバイダＩＤが含まれないと判断するが、アクセス先の前記サービスプロバイダの第１形式の前記第１サービスプロバイダＩＤが前記第１アクセス機器にサポートされないことが前記第１アクセス機器から受信した競合解決応答メッセージによって指示されなければ、前記第１アクセス機器にサポートされる第１形式の前記サービスプロバイダＩＤにアクセス先の前記サービスプロバイダの第１形式の前記第１サービスプロバイダＩＤが含まれると判断することを含む請求項１２に記載の方法。
【請求項１４】
アクセス先の前記サービスプロバイダの第１形式の前記第１サービスプロバイダＩＤを前記第１アクセス機器に送信し、前記第１アクセス機器のアクセス可否に基づいて、前記第１アクセス機器にサポートされる第１形式の前記サービスプロバイダＩＤにアクセス先の前記サービスプロバイダの第１形式の前記第１サービスプロバイダＩＤが含まれるかを判断することは、
アクセス先の前記サービスプロバイダの第１形式の前記第１サービスプロバイダＩＤをＲＲＣ接続確立要求メッセージによって前記第１アクセス機器に送信し、前記第１アクセス機器から返される接続確立メッセージを受信すると、前記第１アクセス機器にサポートされる第１形式の前記サービスプロバイダＩＤに前記第１サービスプロバイダＩＤが含まれると判断するが、前記第１アクセス機器から返される接続拒否メッセージを受信すると、前記第１アクセス機器にサポートされる第１形式の前記サービスプロバイダＩＤに前記第１サービスプロバイダＩＤが含まれないと判断することを含む請求項１２に記載の方法。
【請求項１５】
アクセス先の前記サービスプロバイダの第１形式の前記第１サービスプロバイダＩＤを前記第１アクセス機器に送信し、前記第１アクセス機器のアクセス可否に基づいて、前記第１アクセス機器にサポートされる第１形式の前記サービスプロバイダＩＤにアクセス先の前記サービスプロバイダの第１形式の前記第１サービスプロバイダＩＤが含まれるかを判断することは、
アクセス先の前記サービスプロバイダの第１形式の前記第１サービスプロバイダＩＤが付帯される接続確立完了メッセージを前記第１アクセス機器に送信し、受信した接続解除メッセージによって、アクセス先の前記サービスプロバイダの第１形式の前記第１サービスプロバイダＩＤが前記第１アクセス機器にサポートされないと指示されると、前記第１アクセス機器にサポートされる第１形式の前記サービスプロバイダＩＤにアクセス先の前記サービスプロバイダの第１形式の前記第１サービスプロバイダＩＤが含まれないと判断することを含む請求項１２に記載の方法。
【請求項１６】
アクセス機器に用いられるサービスプロバイダＩＤ提供方法において、
前記アクセス機器にサポートされるサービスプロバイダの第１形式の第１サービスプロバイダＩＤに対応する第２形式の第２サービスプロバイダＩＤを確定することと、
前記アクセス機器に接続される端末機器に前記第２サービスプロバイダＩＤを送信することとを含むサービスプロバイダＩＤ提供方法。
【請求項１７】
前記アクセス機器にサポートされる前記サービスプロバイダの第１形式の前記第１サービスプロバイダＩＤに対応する第２形式の前記第２サービスプロバイダＩＤを確定することは、
前記サービスプロバイダの第１形式の前記サービスプロバイダＩＤと第２形式の前記サービスプロバイダＩＤとのマッピング関係を取得し、該マッピング関係に基づいて、前記アクセス機器にサポートされる前記サービスプロバイダの第１形式の前記第１サービスプロバイダＩＤに対応する第２形式の前記第２サービスプロバイダＩＤを確定すること、
または、前記アクセス機器にサポートされる前記サービスプロバイダの第１形式の前記第１サービスプロバイダＩＤに対応する第２形式の前記第２サービスプロバイダＩＤを算出すること、
または、前記アクセス機器にサポートされる前記サービスプロバイダの第１形式の前記第１サービスプロバイダＩＤのうちの指定位置から抽出されるパラメータから、対応する第２形式の前記第２サービスプロバイダＩＤを生成すること、
または、前記端末機器のアクセス先の前記サービスプロバイダの第１形式の前記第１サービスプロバイダＩＤの指定部分を、対応する第２形式の前記第２サービスプロバイダＩＤとすることを含む請求項１６に記載の方法。
【請求項１８】
前記アクセス機器に接続される前記端末機器に前記第２サービスプロバイダＩＤを送信することは、
送信される該第２サービスプロバイダＩＤの数が所定の閾値を超えると、送信される前記第２サービスプロバイダＩＤの優先度順に、前記アクセス機器に接続される前記端末機器に前記第２サービスプロバイダＩＤを送信することを含み、ここで、該第２サービスプロバイダＩＤの優先度は、対応する前記第１サービスプロバイダＩＤに関連する請求項１６に記載の方法。
【請求項１９】
前記サービスプロバイダの少なくとも１つの第１形式のサービスプロバイダＩＤが１つの第２形式のサービスプロバイダＩＤに対応し、かつ該第２形式のサービスプロバイダＩＤの長さが第１形式の前記サービスプロバイダＩＤの長さより小さい請求項１６から請求項１８のいずれかに記載の方法。
【請求項２０】
端末機器に用いられるサービスプロバイダＩＤ提供装置において、
アクセス先のサービスプロバイダの第１形式の第１サービスプロバイダＩＤに対応する第２形式の第２サービスプロバイダＩＤを確定することに用いられる第１確定モジュールと、
第１アクセス機器から送信される第２形式の第３サービスプロバイダＩＤを取得し、前記第３サービスプロバイダＩＤに前記第２サービスプロバイダＩＤが含まれると、前記第１アクセス機器を選択して前記サービスプロバイダにアクセスすることに用いられる第１選択モジュール、および／または、前記第１アクセス機器から送信される第２形式の第３サービスプロバイダＩＤを取得し、前記第１アクセス機器にサポートされて前記第３サービスプロバイダＩＤに対応する第１形式の第４サービスプロバイダＩＤを確定し、前記第４サービスプロバイダＩＤに前記第１サービスプロバイダＩＤが含まれると、前記第１アクセス機器を選択して前記サービスプロバイダにアクセスすることに用いられる第２選択モジュールを含むサービスプロバイダＩＤ提供装置。
【請求項２１】
前記第１選択モジュールは、第１受信ユニットを含み、
前記第２選択モジュールは、第２受信ユニットを含み、
ここで、前記第１受信ユニットと第２受信ユニットは、
前記第１アクセス機器から送信される第２形式の第３サービスプロバイダＩＤが付帯される通知メッセージを前記第１アクセス機器から受信することに用いられる請求項２０に記載の装置。
【請求項２２】
前記第１確定モジュールは、
前記サービスプロバイダの第１形式のサービスプロバイダＩＤと第２形式のサービスプロバイダＩＤとのマッピング関係を取得し、前記マッピング関係に基づいて、端末機器のアクセス先のサービスプロバイダの第１形式の第１サービスプロバイダＩＤに対応する第２形式の第２サービスプロバイダＩＤを確定すること、または、前記アクセス機器にサポートされるサービスプロバイダの第１形式の第１サービスプロバイダＩＤに対応する第２形式の第２サービスプロバイダＩＤを算出すること、または、前記アクセス機器にサポートされるサービスプロバイダの第１形式の第１サービスプロバイダＩＤのうちの指定位置から抽出されるパラメータから、対応する第２形式の第２サービスプロバイダＩＤを生成すること、または、アクセス先のサービスプロバイダの第１形式の第１サービスプロバイダＩＤの指定部分を、対応する第２形式の第２サービスプロバイダＩＤとすることに用いられる第１確定ユニットを含む請求項２０に記載の装置。
【請求項２３】
前記第２選択モジュールは、
前記サービスプロバイダの第１形式のサービスプロバイダＩＤと第２形式のサービスプロバイダＩＤとのマッピング関係を取得し、前記マッピング関係に基づいて、前記第１アクセス機器にサポートされて前記第３サービスプロバイダＩＤに対応する第１形式の第４サービスプロバイダＩＤを確定することに用いられる第２確定ユニットを含む請求項２２に記載の装置。
【請求項２４】
前記第１確定ユニットは、第１マッピング関係サブユニットを含み、
前記第２確定ユニットは、第２マッピング関係サブユニットを含み、
前記第１マッピング関係サブユニットと第２マッピング関係サブユニットは、
初回でネットワークにアクセスする際に、前記ネットワークにサポートされてアクセス先のサービスプロバイダの第１形式の第５サービスプロバイダＩＤを使用して前記端末機器の登録を行い、登録完了後に、前記サービスプロバイダの第１形式のサービスプロバイダＩＤと第２形式のサービスプロバイダＩＤとのマッピング関係を前記ネットワークのサーバからダウンロードし、それから前記第５サービスプロバイダＩＤに対応するネットワークからログアウトすることに用いられる請求項２２または請求項２３に記載の装置。
【請求項２５】
前記第１マッピング関係サブユニットと第２マッピング関係サブユニットは、さらに、
初回でネットワークにアクセスする際に、前記ネットワークの第２アクセス機器に第１接続確立要求メッセージを送信し、無線接続確立が完了すると、前記ネットワークにサポートされてアクセス先のサービスプロバイダの第１形式の第５サービスプロバイダＩＤが付帯される第１アタッチ要求メッセージを、前記第２アクセス機器に対応する第１移動性管理エンティティに送信して前記端末機器の登録を行うことに用いられる請求項２４に記載の装置。
【請求項２６】
前記第１マッピング関係サブユニットと第２マッピング関係サブユニットは、さらに、
前記サービスプロバイダの第１形式のサービスプロバイダＩＤと第２形式のサービスプロバイダＩＤとのマッピング関係を、非アクセス層ＮＡＳメッセージによって取得することに用いられる請求項２４に記載の方法。
【請求項２７】
前記第１マッピング関係サブユニットと第２マッピング関係サブユニットは、さらに、
前記端末機器が前記第１アクセス機器を選択すると、前記第１アクセス機器に第２接続確立要求メッセージを送信することと、
前記第１アクセス機器との無線接続確立が完了すると、アクセス先のサービスプロバイダの第１形式の第１サービスプロバイダＩＤが付帯される第２アタッチ要求ＮＡＳメッセージを、前記第１アクセス機器に対応する第２移動性管理エンティティに送信することと、
前記サービスプロバイダの第１形式のサービスプロバイダＩＤと第２形式のサービスプロバイダＩＤとのマッピング関係が含まれるアタッチ受信ＮＡＳメッセージを、前記第２移動性管理エンティティから受信すること、または、前記サービスプロバイダの第１形式のサービスプロバイダＩＤと第２形式のサービスプロバイダＩＤとのマッピング関係が含まれるアタッチ拒否ＮＡＳメッセージを、前記第２移動性管理エンティティから受信し、それから改めて他のアクセス機器を選択して前記サービスプロバイダにアクセスすることに用いられる請求項２６に記載の装置。
【請求項２８】
前記第１アクセス機器にサポートされる第１形式のサービスプロバイダＩＤにアクセス先のサービスプロバイダの第１形式の第１サービスプロバイダＩＤが含まれるかを確定することに用いられる判断モジュールをさらに含み、
そうであると、引き続き前記第１アクセス機器を介して前記サービスプロバイダにアクセスするが、そうでなければ、改めて他のアクセス機器を選択して前記サービスプロバイダにアクセスする請求項２０に記載の装置。
【請求項２９】
前記第１アクセス機器にサポートされる前記サービスプロバイダの第１形式のサービスプロバイダＩＤの送信を前記第１アクセス機器に要求するための第１要求情報を前記第１アクセス機器に送信することに用いられる要求モジュールをさらに含み、
前記第１アクセス機器にサポートされる前記サービスプロバイダの第１形式のサービスプロバイダＩＤが含まれる第１応答メッセージを前記第１アクセス機器から受信し、
前記第１アクセス機器にサポートされる第１形式のサービスプロバイダＩＤにアクセス先のサービスプロバイダの第１形式の第１サービスプロバイダＩＤが含まれるかを判断する請求項２８に記載の装置。
【請求項３０】
前記要求モジュールは、さらに、
無線リソース制御ＲＲＣ接続確立要求メッセージ、競合解決要求メッセージまたはＲＲＣ接続確立完了メッセージによって、前記第１要求情報を前記第１アクセス機器に送信することに用いられる請求項２８に記載の装置。
【請求項３１】
前記判断モジュールは、
アクセス先のサービスプロバイダの第１形式の第１サービスプロバイダＩＤを前記第１アクセス機器に送信し、前記第１アクセス機器のアクセス可否に基づいて、前記第１アクセス機器にサポートされる第１形式のサービスプロバイダＩＤにアクセス先のサービスプロバイダの第１形式の第１サービスプロバイダＩＤが含まれるかを判断することに用いられる判断ユニットを含む請求項２８に記載の装置。
【請求項３２】
前記判断ユニットは、さらに、
アクセス先のサービスプロバイダの第１形式の第１サービスプロバイダＩＤを競合解決要求メッセージによって前記第１アクセス機器に送信し、アクセス先のサービスプロバイダの第１形式の第１サービスプロバイダＩＤが前記第１アクセス機器にサポートされないことが前記第１アクセス機器から受信した競合解決応答メッセージによって指示されると、前記第１アクセス機器にサポートされる第１形式のサービスプロバイダＩＤにアクセス先のサービスプロバイダの第１形式の第１サービスプロバイダＩＤが含まれないと判断するが、アクセス先のサービスプロバイダの第１形式の第１サービスプロバイダＩＤが前記第１アクセス機器にサポートされないことが前記第１アクセス機器から受信した競合解決応答メッセージによって指示されなければ、前記第１アクセス機器にサポートされる第１形式のサービスプロバイダＩＤにアクセス先のサービスプロバイダの第１形式の第１サービスプロバイダＩＤが含まれると判断することに用いられる請求項３１に記載の装置。
【請求項３３】
前記判断ユニットは、さらに、
アクセス先のサービスプロバイダの第１形式の第１サービスプロバイダＩＤをＲＲＣ接続確立要求メッセージによって前記第１アクセス機器に送信し、前記第１アクセス機器から返される接続確立メッセージを受信すると、前記第１アクセス機器にサポートされる第１形式のサービスプロバイダＩＤに第１サービスプロバイダＩＤが含まれると判断するが、前記第１アクセス機器から返される接続拒否メッセージを受信すると、前記第１アクセス機器にサポートされる第１形式のサービスプロバイダＩＤに第１サービスプロバイダＩＤが含まれないと判断することに用いられる請求項３１に記載の装置。
【請求項３４】
前記判断ユニットは、さらに、
アクセス先のサービスプロバイダの第１形式の第１サービスプロバイダＩＤが付帯される接続確立完了メッセージを前記第１アクセス機器に送信し、受信した接続解除メッセージによって、アクセス先のサービスプロバイダの第１形式の第１サービスプロバイダＩＤが前記第１アクセス機器にサポートされないと指示されると、前記第１アクセス機器にサポートされる第１形式のサービスプロバイダＩＤにアクセス先のサービスプロバイダの第１形式の第１サービスプロバイダＩＤが含まれないと判断することに用いられる請求項３１に記載の装置。
【請求項３５】
請求項２０から請求項３４のいずれか一項に記載のサービスプロバイダＩＤ提供装置を含む端末機器。
【請求項３６】
アクセス機器に用いられるサービスプロバイダＩＤ提供装置において、
アクセス機器にサポートされるサービスプロバイダの第１形式の第１サービスプロバイダＩＤに対応する第２形式の第２サービスプロバイダＩＤを確定することに用いられる第２確定モジュールと、
前記アクセス機器に接続される端末機器に前記第２サービスプロバイダＩＤを送信することに用いられる送信モジュールとを含むサービスプロバイダＩＤ提供装置。
【請求項３７】
前記第２確定モジュールは、さらに、
前記サービスプロバイダの第１形式のサービスプロバイダＩＤと第２形式のサービスプロバイダＩＤとのマッピング関係を取得し、前記マッピング関係に基づいて、前記アクセス機器にサポートされるサービスプロバイダの第１形式の第１サービスプロバイダＩＤに対応する第２形式の第２サービスプロバイダＩＤを確定すること、または、前記アクセス機器にサポートされるサービスプロバイダの第１形式の第１サービスプロバイダＩＤに対応する第２形式の第２サービスプロバイダＩＤを算出すること、または、前記アクセス機器にサポートされるサービスプロバイダの第１形式の第１サービスプロバイダＩＤのうちの指定位置から抽出されるパラメータから、対応する第２形式の第２サービスプロバイダＩＤを生成すること、または、端末機器のアクセス先のサービスプロバイダの第１形式の第１サービスプロバイダＩＤの指定部分を、対応する第２形式の第２サービスプロバイダＩＤとすることに用いられる請求項３６に記載の装置。
【請求項３８】
前記送信モジュールは、さらに、
送信される前記第２サービスプロバイダＩＤの数が所定の閾値を超えると、送信される前記第２サービスプロバイダＩＤの優先度順に、前記アクセス機器に接続される端末機器に前記第２サービスプロバイダＩＤを送信することに用いられ、
ここで、前記第２サービスプロバイダＩＤの優先度は、対応する前記第１サービスプロバイダＩＤに関連する請求項３６に記載の装置。
【請求項３９】
前記サービスプロバイダの１つまたは複数の第１形式のサービスプロバイダＩＤが１つの第２形式のサービスプロバイダＩＤに対応し、かつ前記第２形式のサービスプロバイダＩＤの長さが前記第１形式のサービスプロバイダＩＤの長さより小さい請求項３６から請求項３８のいずれかに記載の装置。
【請求項４０】
請求項３６から請求項３９のいずれかに記載のサービスプロバイダＩＤ提供装置を含むアクセス機器。
【請求項４１】
端末機器に用いられるサービスプロバイダＩＤ提供チップにおいて、
プロセッサと、
該プロセッサに実行されることのできる指令が記憶されているメモリとを備え、
前記指令が実行されると、前記プロセッサは、
アクセス先のサービスプロバイダの第１形式の第１サービスプロバイダＩＤに対応する第２形式の第２サービスプロバイダＩＤを確定することと、
第１アクセス機器から送信される第２形式の第３サービスプロバイダＩＤを取得し、該第３サービスプロバイダＩＤに前記第２サービスプロバイダＩＤが含まれると、前記第１アクセス機器を選択して前記サービスプロバイダにアクセスすること、および／または、
前記第１アクセス機器から送信される第２形式の前記第３サービスプロバイダＩＤを取得し、前記第１アクセス機器にサポートされて前記第３サービスプロバイダＩＤに対応する第１形式の第４サービスプロバイダＩＤを確定し、該第４サービスプロバイダＩＤに前記第１サービスプロバイダＩＤが含まれると、前記第１アクセス機器を選択して前記サービスプロバイダにアクセスすることを実行するサービスプロバイダＩＤ提供チップ。
【請求項４２】
請求項４１に記載のサービスプロバイダＩＤ提供チップを含む端末機器。
【請求項４３】
アクセス機器に用いられるサービスプロバイダＩＤ提供チップにおいて、
プロセッサと、
該プロセッサに実行されることのできる指令が記憶されているメモリとを備え、
前記指令が実行されると、前記プロセッサは、
アクセス機器にサポートされるサービスプロバイダの第１形式の第１サービスプロバイダＩＤに対応する第２形式の第２サービスプロバイダＩＤを確定することと、
前記アクセス機器に接続される端末機器に前記第２サービスプロバイダＩＤを送信することとを実行するサービスプロバイダＩＤ提供チップ。
【請求項４４】
請求項４３に記載のサービスプロバイダＩＤ提供チップを含むアクセス機器。
【発明の詳細な説明】
【優先権情報】
【０００１】
本願は、２０１６年２月２６日に中国特許庁に提出された中国特許出願２０１６１０１０８６９９．２の優先権を主張し、その全ての内容が援用により本願に取り込まれる。
【技術分野】
【０００２】
本発明は、通信技術分野に関し、特にサービスプロバイダＩＤ提供方法、装置、アクセス機器および端末機器に関する。
【背景技術】
【０００３】
ＬＴＥ（長期的な進化）に基づく新規の無線アクセス技術であるＭｕｌｔｅＦｉｒｅは、ライセンスバンドの搬送波を介さずにアンランセンススペクトルで独立に運用することができる。ＭｕｌｔｅＦｉｒｅは、ＬＴＥをアンライセンススペクトルに拡張させる。エアインタフェースリソースをアンライセンスバンドにある機器と公平に占有するために、ＷｉＦｉ（Ｗｉｒｅｌｅｓｓ−Ｆｉｄｅｌｉｔｙ）の搬送波モニタリング技術に類似するＬＢＴ（Ｌｉｓｔｅｎ  Ｂｅｆｏｒｅ  Ｔａｌｋ）メカニズムが物理レイヤで導入されている。
【０００４】
ＭｕｌｔｅＦｉｒｅは、従来の３ＧＰＰ（３ｒｄ  Ｇｅｎｅｒａｔｉｏｎ  Ｐａｒｔｎｅｒｓｈｉｐ  Ｐｒｏｊｅｃｔ）ネットワークアーキテクチャーに用いることができ、従来の３ＧＰＰコアネットワークと接続し、アンランセンススペクトルによる容量、カバレッジおよびデータオフロードを従来の移動ネットワーク事業者に提供し、ランセンススペクトルの補充またはホットスポットによって従来事業者のサービス品質を向上させる。
【０００５】
また、ＭｕｌｔｅＦｉｒｅに新規のネットワークアーキテクチャーも導入され、統一的に計画されて自己組織化したニューラルホスト（Ｎｅｕｔｒａｌ  Ｈｏｓｔ）ネットワークが提供され、サービスプロバイダ、機器供給業者またはユーザがいずれもネットワークの配置に参与することができる。任意に配置されるネットワークは、インターネットサービスプロバイダ、有線テレビ、移動ネットワーク事業者、企業および公共場所サービスプロバイダを含む各種類のサービスプロバイダにサービスを提供することができ、ＳＩＭ（Ｓｕｂｓｃｒｉｂｅｒ  Ｉｄｅｎｔｉｔｙ  Ｍｏｄｕｌｅ）カードのない端末機器に認証およびネットワークアクセスを提供することができる。
【０００６】
ＭｕｌｔｅＦｉｒｅの全世界における技術標準の発展を促進し、ＭｕｌｔｅＦｉｒｅの将来の進化を推し進め、ＭｕｌｔｅＦｉｒｅ機器とアンライセンススペクトルにあるほかの機器（例えばＷｉＦｉ）との間でアンライセンススペクトルリソースを公平に占有することを確保するために、ＭｕｌｔｅＦｉｒｅを推進する連盟組織が設立されて運営されている。
【０００７】
現在、ＭｕｌｔｅＦｉｒｅは、ＥＰＣ（Ｅｖｏｌｖｅｄ  Ｐａｃｋｅｔ  Ｃｏｒｅ  Ｎｅｔｗｏｒｋ）接続方式とＮＨ（Ｎｅｕｔｒａｌ  Ｈｏｓｔ）方式の２種類のネットワーク方式に分けられる。ここで、図１と図２に示されているように、ＮＨ方式は、ＭＦ（ＭｕｌｔｅＦｉｒｅ）  ＲＡＮ（無線アクセスネットワーク）がＭＦコアネットワーク（ＣＮ：ＣｏｒｅＮｅｔｗｏｒｋ）に接続されるネットワーク方式である。ＭＦ  ＣＮがＭｕｌｔｅＦｉｒｅにより新規に導入した統一的に計画されて自己組織化したニューラルネットワークは、３ＧＰＰネットワークのＲＡＮとの切り替えをサポートしない。ＥＰＣ接続方式は、ＭＦ  ＲＡＮが従来の３ＧＰＰコアネットワークに接続されるネットワーク方式である。図３に示されているように、ＵＥは、ＭＦ  ＲＡＮと３ＧＰＰ  ＲＡＮとの間でＳ１、Ｘ２切り替えを行うことができる。以上２種類のネットワークのアクセスレイヤの物理レイヤ技術に共にＬＴＥが用いられるが、導入されているＬＢＴに基づくモニタリングメカニズムは、ＬＴＥとは異なる。
【０００８】
ＭｕｌｔｅＦｉｒｅのＮＨ方式において、インターネットサービスプロバイダ、有線テレビ、移動ネットワーク事業者、企業および公共場所サービスプロバイダなどを含む多種類のサービスプロバイダをサポートするために、ＰＳＰ‐ＩＤ（Ｐａｒｔｉｃｉｐａｔｉｎｇ  Ｓｅｒｖｉｃｅ  Ｐｒｏｖｉｄｅｒ  Ｉｄｅｎｔｉｔｙ）が導入されている。ＭＦ  ＲＡＮは、１つまたは複数のサービスプロバイダに提供されうる。ＭｕｌｔｅＦｉｒｅネットワークは、ＰＳＰ‐ＩＤによってＵＥの認証、認可、アカウンティングサーバを確定する。ＰＳＰ‐ＩＤは、短形式のＰＳＰ‐ＩＤと長形式のＰＳＰ‐ＩＤの２種類に分けられる。エアインタフェースリソース節約のために、ＲＡＮシステムブロードキャストでは、ＭＦ  ＲＡＮにサポートされる短形式のＰＳＰ‐ＩＤのみが送信される。
【０００９】
発明者は、本発明の実現中に、関連技術に少なくとも下記問題が存在することを発見した。システムブロードキャストで送信される短形式のＰＳＰ‐ＩＤは、短縮されたサービスプロバイダＩＤであり、単に曖昧にサービスプロバイダを識別するが、長形式のＰＳＰ‐ＩＤは、実際のサービスプロバイダＩＤである。ＵＥは、指定されるサービスプロバイダがＭＦ  ＲＡＮにサポートされるかを確定するには、ＭＦ  ＲＡＮに実際にサポートされる長形式のＰＳＰ‐ＩＤを取得する必要がある。しかし、関連技術では、ＭＦアクセス機器にサポートされる長形式のＰＳＰ‐ＩＤをＵＥに知らせるメカニズムがない。
【発明の概要】
【発明が解決しようとする課題】
【００１０】
本発明が解決しようとする技術課題は、ＭＦアクセス機器にサポートされる長形式のＰＳＰ‐ＩＤをＵＥに知らせるメカニズムを実現してネットワークアクセス成功率を向上させるために、サービスプロバイダＩＤ提供方法、装置、アクセス機器および端末機器を提供することである。
【課題を解決するための手段】
【００１１】
本発明の第１態様においては、端末機器に用いられるサービスプロバイダＩＤ提供方法が提供される。前記方法において、アクセス先のサービスプロバイダの第１形式の第１サービスプロバイダＩＤに対応する第２形式の第２サービスプロバイダＩＤを確定することと、第１アクセス機器から送信される第２形式の第３サービスプロバイダＩＤを取得し、該第３サービスプロバイダＩＤに前記第２サービスプロバイダＩＤが含まれると、前記第１アクセス機器を選択して前記サービスプロバイダにアクセスすること、または、前記第１アクセス機器から送信される第２形式の前記第３サービスプロバイダＩＤを取得し、前記第１アクセス機器にサポートされて前記第３サービスプロバイダＩＤに対応する第１形式の第４サービスプロバイダＩＤを確定し、該第４サービスプロバイダＩＤに前記第１サービスプロバイダＩＤが含まれると、前記第１アクセス機器を選択して前記サービスプロバイダにアクセスすることを含む。
【００１２】
本発明の第２態様においては、アクセス機器に用いられるサービスプロバイダＩＤ提供方法が提供される。前記方法において、アクセス機器にサポートされるサービスプロバイダの第１形式の第１サービスプロバイダＩＤに対応する第２形式の第２サービスプロバイダＩＤを確定することと、前記アクセス機器に接続される端末機器に前記第２サービスプロバイダＩＤを送信することとを含む。
【００１３】
本発明の第３態様においては、端末機器に用いられるサービスプロバイダＩＤ提供装置が提供される。前記装置は、アクセス先のサービスプロバイダの第１形式の第１サービスプロバイダＩＤに対応する第２形式の第２サービスプロバイダＩＤを確定することに用いられる第１確定モジュールと、第１アクセス機器から送信される第２形式の第３サービスプロバイダＩＤを取得し、該第３サービスプロバイダＩＤに前記第２サービスプロバイダＩＤが含まれると、前記第１アクセス機器を選択して前記サービスプロバイダにアクセスすることに用いられる第１選択モジュール、および／または、前記第１アクセス機器から送信される第２形式の前記第３サービスプロバイダＩＤを取得し、前記第１アクセス機器にサポートされて前記第３サービスプロバイダＩＤに対応する第１形式の第４サービスプロバイダＩＤを確定し、該第４サービスプロバイダＩＤに前記第１サービスプロバイダＩＤが含まれると、前記第１アクセス機器を選択して前記サービスプロバイダにアクセスすることに用いられる第２選択モジュールを備える。
【００１４】
本発明の第４態様においては、上記サービスプロバイダＩＤ提供装置を備える端末機器が提供される。
【００１５】
本発明の第５態様においては、アクセス機器に用いられるサービスプロバイダＩＤ提供装置が提供される。前記装置は、アクセス機器にサポートされるサービスプロバイダの第１形式の第１サービスプロバイダＩＤに対応する第２形式の第２サービスプロバイダＩＤを確定することに用いられる第２確定モジュールと、前記アクセス機器に接続される端末機器に前記第２サービスプロバイダＩＤを送信することに用いられる送信モジュールとを備える。
【００１６】
本発明の第６態様においては、上記サービスプロバイダＩＤ提供装置を備えるアクセス機器が提供される。
【発明の効果】
【００１７】
本発明の上記技術手段によれば、下記の優れた効果を奏する。まず、ＵＥは、アクセス先のネットワークの長形式のＰＳＰ‐ＩＤに対応する短形式のＰＳＰ‐ＩＤを確定する。アクセス機器（ＭＦアクセス機器と称してもよい。）から送信される短形式のＰＳＰ‐ＩＤには、アクセス先のネットワークの長形式のＰＳＰ‐ＩＤに対応する短形式のＰＳＰ‐ＩＤが含まれていれば、当該アクセス機器を選択してネットワークにアクセスすることを仮判断する。後に、ＵＥは、当該アクセス機器にアクセスし、当該アクセス機器に実際にサポートされる長形式のＰＳＰ‐ＩＤを取得し、上記アクセス機器にサポートされる長形式のＰＳＰ‐ＩＤにアクセス先の長形式のＰＳＰ‐ＩＤが含まれるかを確定し、そうであると、引き続き上記アクセス機器にアクセスするが、そうでなければ、改めて他のアクセス機器を選択してネットワークにアクセスする。
【００１８】
ＵＥは、システムブロードキャストメッセージを受信することによって、アクセス機器から送信される短形式のＰＳＰ‐ＩＤを取得し、アクセス先の長形式のＰＳＰ‐ＩＤをサポートするアクセス機器を仮選択することができる。よって、ＵＥによるアクセス機器選択範囲の縮小やネットワークアクセス成功率の向上に有利である。ＵＥは、仮選択したアクセス機器を選択した後に、アクセス機器に実際にサポートされる長形式のＰＳＰ‐ＩＤを取得し、アクセス機器にサポートされる長形式のＰＳＰ‐ＩＤとアクセス先のＰＳＰ‐ＩＤとの整合を行い、最終的に、整合したアクセス機器を選択してアクセスする。よって、ＵＥのアクセス成功率がさらに向上する。本実施例によれば、ＵＥからネットワークにサポートされない長形式のＰＳＰ‐ＩＤへのアクセスを要求する際に、ネットワークに拒否されて生じるシグナリングコストを効果的に回避することができる。
【図面の簡単な説明】
【００１９】
【図１】関連技術のＭＦネットワークのＮＨ方式のアーキテクチャー図である。
【図２】関連技術のＭＦネットワークのＮＨ方式の別のアーキテクチャー図である。
【図３】関連技術のＭＦネットワークのＥＰＣ方式のアーキテクチャー図である。
【図４】本発明の実施例１のサービスプロバイダＩＤ提供方法のフローチャートである。
【図５】本発明の実施例２のサービスプロバイダＩＤ提供方法のフローチャートである。
【図６】本発明の実施例３において、ＵＥがネットワークから長形式のＰＳＰ‐ＩＤと短形式のＰＳＰ‐ＩＤとのマッピング関係を取得するシーケンス図である。
【図７】本発明の実施例４において、ＵＥがＮＡＳメッセージから長形式のＰＳＰ‐ＩＤと短形式のＰＳＰ‐ＩＤとのマッピング関係を取得するシーケンス図である。
【図８】本発明の実施例５において、アクセス機器にサポートされる長形式のＰＳＰ‐ＩＤにアクセス先の長形式のＰＳＰ‐ＩＤが含まれるかを確定し、およびその後にアクセス機器を選択してネットワークにアクセスするフローチャートである。
【図９】本発明の実施例５において、アクセス機器にサポートされる長形式のＰＳＰ‐ＩＤにアクセス先の長形式のＰＳＰ‐ＩＤが含まれるかを確定し、およびその後にアクセス機器を選択してネットワークにアクセスするシーケンス図その１である。
【図１０】本発明の実施例５において、アクセス機器にサポートされる長形式のＰＳＰ‐ＩＤにアクセス先の長形式のＰＳＰ‐ＩＤが含まれるかを確定し、およびその後にアクセス機器を選択してネットワークにアクセスするシーケンス図その２である。
【図１１】本発明の実施例５において、アクセス機器にサポートされる長形式のＰＳＰ‐ＩＤにアクセス先の長形式のＰＳＰ‐ＩＤが含まれるかを確定し、およびその後にアクセス機器を選択してネットワークにアクセスするシーケンス図その３である。
【図１２】本発明の実施例６において、ＵＥが、基地局にサポートされる長形式のＰＳＰ‐ＩＤにアクセス先の長形式のＰＳＰ‐ＩＤが含まれるかを確定し、およびその後に基地局を選択してネットワークにアクセスするフローチャートである。
【図１３】本発明の実施例６において、ＵＥが、基地局にサポートされる長形式のＰＳＰ‐ＩＤにアクセス先の長形式のＰＳＰ‐ＩＤが含まれるかを確定し、およびその後に基地局を選択してネットワークにアクセスするシーケンス図その１である。
【図１４】本発明の実施例６において、ＵＥが、基地局にサポートされる長形式のＰＳＰ‐ＩＤにアクセス先の長形式のＰＳＰ‐ＩＤが含まれるかを確定し、およびその後に基地局を選択してネットワークにアクセスするシーケンス図その２である。
【図１５】本発明の実施例６において、ＵＥが、基地局にサポートされる長形式のＰＳＰ‐ＩＤにアクセス先の長形式のＰＳＰ‐ＩＤが含まれるかを確定し、およびその後に基地局を選択してネットワークにアクセスするシーケンス図その３である。
【図１６】本発明の実施例７のサービスプロバイダＩＤ提供方法のフローチャートである。
【図１７】本発明の実施例８のサービスプロバイダＩＤ提供装置のブロック図である。
【図１８】本発明の実施例１０のサービスプロバイダＩＤ提供装置のブロック図である。
【発明を実施するための形態】
【００２０】
以下、本発明の実施例の図面を参照して本発明の実施例の技術手段を明確且つ完全的に記載する。明らかに、記載される実施例は、本発明の実施例の一部であり、全てではない。本発明の実施例に基づき、当業者が創造性のある作業をせずに為しえる全ての実施例は、いずれも本発明の保護範囲に属する。
【００２１】
本発明の実施例において、サービスプロバイダの１つまたは複数の第１形式のＰＳＰ‐ＩＤは、１つの第２形式のサービスプロバイダＩＤに対応してもよく、しかも第２形式のＰＳＰ‐ＩＤの長さは、第１形式のＰＳＰ‐ＩＤの長さより小さい。ここで、第１形式を長形式と称してもよく、第２形式を短形式と称してもよい。当該第２形式のサービスプロバイダＩＤの長さは、第１形式のサービスプロバイダＩＤの長さより小さい。例えば、サービスプロバイダであるアリババのＰＳＰ‐ＩＤは、「Ａｌｉｂａｂａ  Ｇｒｏｕｐ」、「Ａｌｉｂａｂａ  Ｓｈｏｐ」および「Ａｌｉｂａｂａ」を含む。そのうち、「Ａｌｉｂａｂａ  Ｇｒｏｕｐ」、「Ａｌｉｂａｂａ  Ｓｈｏｐ」は、長形式のＰＳＰ‐ＩＤであり、「Ａｌｉｂａｂａ」は、短形式のＰＳＰ‐ＩＤである。なお、サービスプロバイダは、インターネットサービスプロバイダ、有線テレビ、移動ネットワーク事業者、企業および公共場所サービスプロバイダなどであってもよいが、もちろんそれらに限らない。
【００２２】
本発明の実施例において、端末機器（ＵＥ）は、モバイル電話（または携帯電話）や、無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、またはそれ以外の人の操作によらずに自発的に移動通信ネットワークと通信可能な機器などが含まれる。
【００２３】
本発明の実施例において、アクセス機器（ＭＦアクセス機器と称してもよい。）は、基地局であってもよい。もちろん、上記基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、ＥＮＢ（Ｅｎｈａｎｃｅｄ  Ｎｏｄｅ  Ｂ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）などである。
実施例１
【００２４】
図４には、サービスプロバイダＩＤ提供方法のフローチャートが示されている。当該方法は、実行主体が端末機器であり、具体的に以下のステップを含む。
【００２５】
ステップＳ４０１において、アクセス先のサービスプロバイダの長形式の第１ＰＳＰ‐ＩＤに対応する短形式の第２ＰＳＰ‐ＩＤを確定し、それからステップＳ４０２に進む。
【００２６】
選択可能に、本実施例において、端末機器は、下記４種類の方式で短形式の第２ＰＳＰ‐ＩＤを確定する。
【００２７】
方式１：端末機器は、サービスプロバイダの長形式のＰＳＰ‐ＩＤと短形式のＰＳＰ‐ＩＤとのマッピング関係をネットワークから取得し、マッピング関係に基づいて、端末機器のアクセス先のサービスプロバイダの長形式の第１ＰＳＰ‐ＩＤに対応する短形式の第２ＰＳＰ‐ＩＤを確定する。なお、エアインタフェースリソース節約のために、サービスプロバイダの１つまたは複数の長形式のＰＳＰ‐ＩＤは、１つの短形式のＰＳＰ‐ＩＤに対応してもよい。例えば、２つの長形式のＰＳＰ‐ＩＤである「Ａｌｉｂａｂａ  Ｇｒｏｕｐ」、「Ａｌｉｂａｂａ  Ｓｈｏｐ」は、共に短形式のＰＳＰ‐ＩＤである「Ａｌｉｂａｂａ」に対応する。
【００２８】
方式２：端末機器は、ネットワーク（例えばＭｕｌｔｅＦｉｒｅネットワーク）で統一される所定のアルゴリズムによって、端末機器のアクセス先のサービスプロバイダの、長形式の第１ＰＳＰ‐ＩＤに対応する短形式の第２ＰＳＰ‐ＩＤを算出する。例えば、ＭｕｌｔｅＦｉｒｅネットワークで統一される所定のアルゴリズムは、ハッシュアルゴリズムである。もちろん、本実施例において、具体的なアルゴリズムについて限定しない。
【００２９】
方式３：端末機器のアクセス先のサービスプロバイダの長形式の第１ＰＳＰ‐ＩＤの指定位置から抽出される数値から、対応する短形式の第２ＰＳＰ‐ＩＤを生成する。なお、本実施例において、上記指定位置について限定しない。
【００３０】
方式４：端末機器のアクセス先のサービスプロバイダの長形式の第１ＰＳＰ‐ＩＤの指定部分（例えば前の部分）を、対応する短形式の第２ＰＳＰ‐ＩＤとする。なお、本実施例において、上記指定部分について限定しない。
【００３１】
もちろん、具体的に実現する際に、上記４種類の方式以外の方式によって第２ＰＳＰ‐ＩＤを確定してもよい。
【００３２】
ステップＳ４０２において、第１アクセス機器から送信される短形式の第３ＰＳＰ‐ＩＤを取得し、それからステップＳ４０３またはステップＳ４０５に進む。
【００３３】
選択可能に、端末機器は、第１アクセス機器（例えば基地局）から送信される通知メッセージ（例えばシステムブロードキャストメッセージ）を受信する。当該通知メッセージには、第１アクセス機器から送信される短形式の第３ＰＳＰ‐ＩＤが付帯される。
【００３４】
ステップＳ４０３において、第３ＰＳＰ‐ＩＤに第２ＰＳＰ‐ＩＤが含まれるかを判断する。そうであると、ステップＳ４０４に進むが、そうでなければ、ステップＳ４０７に進む。
【００３５】
ステップＳ４０４において、第１アクセス機器を選択してサービスプロバイダにアクセスする。
【００３６】
端末機器は、第１アクセス機器から送信されるシステムブロードキャストメッセージを受信すると、ステップＳ４０１で確定された短形式の第２ＰＳＰ‐ＩＤが当該システムブロードキャストメッセージに含まれるかを判断し、そうであると、当該第１アクセス機器を選択してネットワークにアクセスする。
【００３７】
ステップＳ４０５において、第１アクセス機器にサポートされて第３ＰＳＰ‐ＩＤに対応する長形式の第４ＰＳＰ‐ＩＤを確定し、それからステップＳ４０６に進む。
【００３８】
ステップＳ４０６において、第４ＰＳＰ‐ＩＤに第１ＰＳＰ‐ＩＤが含まれるかを判断し、そうであると、ステップＳ４０４に進むが、そうでなければ、ステップＳ４０７に進む。
【００３９】
端末機器は、ステップＳ４０１でサービスプロバイダの長形式のＰＳＰ‐ＩＤと短形式のＰＳＰ‐ＩＤとのマッピング関係を取得すると、ステップＳ４０２において、アクセス機器から送信される短形式の第３ＰＳＰ‐ＩＤを取得した後に、長形式のＰＳＰ‐ＩＤと短形式のＰＳＰ‐ＩＤとのマッピング関係に基づいて、第１アクセス機器にサポートされる長形式の第４ＰＳＰ‐ＩＤを確定し、アクセス機器にサポートされる長形式の第４ＰＳＰ‐ＩＤに端末機器のアクセス先のサービスプロバイダの長形式の第１ＰＳＰ‐ＩＤが含まれていれば、第１アクセス機器を選択してサービスプロバイダにアクセスする。
【００４０】
ステップＳ４０７において、改めて他のアクセス機器を選択してサービスプロバイダにアクセスする。
【００４１】
本実施例において、まず、ＵＥは、アクセス先のネットワークの長形式のＰＳＰ‐ＩＤに対応する短形式のＰＳＰ‐ＩＤを確定する。アクセス機器から送信される短形式のＰＳＰ‐ＩＤには、アクセス先のネットワークの長形式のＰＳＰ‐ＩＤに対応する短形式のＰＳＰ‐ＩＤが含まれていれば、当該アクセス機器を選択してネットワークにアクセスすることを仮判断する。よって、ＵＥによる長形式のＰＳＰ‐ＩＤの取得が実現される。ここで、ＵＥは、システムブロードキャストメッセージを受信することによって、アクセス機器から送信される短形式のＰＳＰ‐ＩＤを取得し、アクセス先の長形式のＰＳＰ‐ＩＤをサポートするアクセス機器を仮選択することができる。これは、ＵＥによるアクセス機器選択範囲の縮小に有利である。
実施例２
【００４２】
図５には、サービスプロバイダＩＤ提供方法のフローチャートが示されている。当該方法は、実行主体が端末機器であり、具体的に以下のステップを含む。
【００４３】
ステップＳ５０１において、アクセス先のサービスプロバイダの長形式の第１ＰＳＰ‐ＩＤに対応する第２形式の第２ＰＳＰ‐ＩＤを確定し、それからステップＳ５０２に進む。
【００４４】
選択可能に、本実施例において、端末機器は、下記４種類の方式で短形式の第２ＰＳＰ‐ＩＤを確定する。
【００４５】
方式１：端末機器は、サービスプロバイダの長形式のＰＳＰ‐ＩＤと短形式のＰＳＰ‐ＩＤとのマッピング関係をネットワークから取得し、マッピング関係に基づいて、端末機器のアクセス先のサービスプロバイダの長形式の第１ＰＳＰ‐ＩＤに対応する短形式の第２ＰＳＰ‐ＩＤを確定する。なお、エアインタフェースリソース節約のために、サービスプロバイダの１つまたは複数の長形式のＰＳＰ‐ＩＤは、１つの短形式のＰＳＰ‐ＩＤに対応してもよい。例えば、２つの長形式のＰＳＰ‐ＩＤである「Ａｌｉｂａｂａ  Ｇｒｏｕｐ」、「Ａｌｉｂａｂａ  Ｓｈｏｐ」は、共に短形式のＰＳＰ‐ＩＤである「Ａｌｉｂａｂａ」に対応する。
【００４６】
方式２：端末機器は、ネットワーク（例えばＭｕｌｔｅＦｉｒｅネットワーク）で統一される所定のアルゴリズムによって、端末機器のアクセス先のサービスプロバイダの、長形式の第１ＰＳＰ‐ＩＤに対応する短形式の第２ＰＳＰ‐ＩＤを算出する。例えば、ＭｕｌｔｅＦｉｒｅネットワークで統一される所定のアルゴリズムは、ハッシュアルゴリズムである。もちろん、本実施例において、具体的なアルゴリズムについて限定しない。
【００４７】
方式３：端末機器のアクセス先のサービスプロバイダの長形式の第１ＰＳＰ‐ＩＤの指定位置から抽出される数値から、対応する短形式の第２ＰＳＰ‐ＩＤを生成する。なお、本実施例において、上記指定位置について限定しない。
【００４８】
方式４：端末機器のアクセス先のサービスプロバイダの長形式の第１ＰＳＰ‐ＩＤの指定部分（例えば第１ＰＳＰ‐ＩＤのうち前の部分）を、対応する短形式の第２ＰＳＰ‐ＩＤとする。なお、本実施例において、上記指定部分について限定しない。
【００４９】
もちろん、具体的に実現する際に、上記４種類の方式以外の方式によって第２ＰＳＰ‐ＩＤを確定してもよい。
【００５０】
ステップＳ５０２において、第１アクセス機器から送信される短形式の第３ＰＳＰ‐ＩＤを取得し、それからステップＳ５０３またはステップＳ５０５に進む。
【００５１】
選択可能に、端末機器は、第１アクセス機器（例えば基地局）から送信される通知メッセージ（例えばシステムブロードキャストメッセージ）を受信する。当該通知メッセージには、第１アクセス機器から送信される短形式の第３ＰＳＰ‐ＩＤが付帯される。
【００５２】
ステップＳ５０３において、第３ＰＳＰ‐ＩＤに第２ＰＳＰ‐ＩＤが含まれるかを判断する。そうであると、ステップＳ５０４に進むが、そうでなければ、ステップＳ５０９に進む。
【００５３】
ステップＳ５０４において、第１アクセス機器を選択してサービスプロバイダにアクセスし、それからステップＳ５０７に進む。
【００５４】
端末機器は、第１アクセス機器から送信されるシステムブロードキャストメッセージを受信すると、ステップＳ５０１で確定された短形式の第２ＰＳＰ‐ＩＤが当該システムブロードキャストメッセージに含まれるかを判断し、そうであると、当該第１アクセス機器を選択してネットワークにアクセスする。
【００５５】
ステップＳ５０５において、第１アクセス機器にサポートされて第３ＰＳＰ‐ＩＤに対応する長形式の第４ＰＳＰ‐ＩＤを確定し、それからステップＳ５０６に進む。
【００５６】
ステップＳ５０６において、第４ＰＳＰ‐ＩＤに第１ＰＳＰ‐ＩＤが含まれるかを判断し、そうであると、ステップＳ５０４に進むが、そうでなければ、ステップＳ５０９に進む。
【００５７】
端末機器は、ステップＳ５０１でサービスプロバイダの長形式のＰＳＰ‐ＩＤと短形式のＰＳＰ‐ＩＤとのマッピング関係を取得すると、ステップＳ５０２において、第１アクセス機器から送信される短形式の第３ＰＳＰ‐ＩＤを取得した後に、長形式のＰＳＰ‐ＩＤと短形式のＰＳＰ‐ＩＤとのマッピング関係に基づいて、第１アクセス機器にサポートされる長形式の第４ＰＳＰ‐ＩＤを確定し、第１アクセス機器にサポートされる長形式の第４ＰＳＰ‐ＩＤに端末機器のアクセス先のサービスプロバイダの長形式の第１ＰＳＰ‐ＩＤが含まれていれば、第１アクセス機器を選択してサービスプロバイダにアクセスする。
【００５８】
ステップＳ５０７において、第１アクセス機器にサポートされる長形式のＰＳＰ‐ＩＤにアクセス先のサービスプロバイダの長形式の第１ＰＳＰ‐ＩＤが含まれるかを判断し、そうであると、ステップＳ５０８に進むが、そうでなければ、ステップＳ５０９に進む。
【００５９】
なお、第１アクセス機器は、サポートされる長形式のＰＳＰ‐ＩＤに対応する短形式のＰＳＰ‐ＩＤを取得した後に、システムブロードキャストメッセージで１つまたは複数の短形式のＰＳＰ‐ＩＤを送信する。具体的に実現する際に、第１アクセス機器は、システムブロードキャストメッセージで送信する短形式のＰＳＰ‐ＩＤに対応する全ての長形式のＰＳＰ‐ＩＤをサポートする可能性があり、システムブロードキャストメッセージで送信する短形式のＰＳＰ‐ＩＤに対応する全ての長形式のＰＳＰ‐ＩＤをサポートしない可能性もある。したがって、ＵＥは、アクセス先の長形式のＰＳＰ‐ＩＤが当該第１アクセス機器にサポートされると仮判断した後に、さらに当該第１アクセス機器に実際にサポートされる長形式のＰＳＰ‐ＩＤにアクセス先の長形式のＰＳＰ‐ＩＤが含まれるかを判断する。
【００６０】
ステップＳ５０８において、引き続き第１アクセス機器を介してサービスプロバイダにアクセスする。
【００６１】
ステップＳ５０９において、改めて他のアクセス機器を選択してサービスプロバイダにアクセスする。
【００６２】
本実施例において、まず、ＵＥは、アクセス先のネットワークの長形式のＰＳＰ‐ＩＤに対応する短形式のＰＳＰ‐ＩＤを確定する。アクセス機器から送信される短形式のＰＳＰ‐ＩＤには、アクセス先のネットワークの長形式のＰＳＰ‐ＩＤに対応する短形式のＰＳＰ‐ＩＤが含まれていれば、当該アクセス機器を選択してネットワークにアクセスすることを仮判断する。後に、ＵＥは、当該アクセス機器にアクセスし、当該アクセス機器に実際にサポートされる長形式のＰＳＰ‐ＩＤを取得し、上記アクセス機器にサポートされる長形式のＰＳＰ‐ＩＤにアクセス先の長形式のＰＳＰ‐ＩＤが含まれるかを確定し、そうであると、引き続き上記アクセス機器にアクセスするが、そうでなければ、改めて他のアクセス機器を選択してネットワークにアクセスする。
【００６３】
ＵＥは、システムブロードキャストメッセージを受信することによって、アクセス機器から送信される短形式のＰＳＰ‐ＩＤを取得し、アクセス先の長形式のＰＳＰ‐ＩＤをサポートするアクセス機器を仮選択することができる。よって、ＵＥによるアクセス機器選択範囲の縮小やネットワークアクセス成功率の向上に有利である。ＵＥは、仮選択したアクセス機器を選択した後に、アクセス機器に実際にサポートされる長形式のＰＳＰ‐ＩＤを取得し、アクセス機器にサポートされる長形式のＰＳＰ‐ＩＤとアクセス先のＰＳＰ‐ＩＤとの整合を行い、最終的に、整合したアクセス機器を選択してアクセスする。よって、ＵＥのアクセス成功率がさらに向上する。本実施例によれば、ＵＥからネットワークにサポートされない長形式のＰＳＰ‐ＩＤへのアクセスを要求する際に、ネットワークに拒否されて生じるシグナリングコストを効果的に回避することができる。
実施例３
【００６４】
上記実施例と同一の内容は、本実施例において繰り返して記載されない。本実施例において、サービスプロバイダの長形式のＰＳＰ‐ＩＤと短形式のＰＳＰ‐ＩＤとのマッピング関係を取得することを紹介する。具体的に、端末機器は、初回でネットワークにアクセスする際に、ネットワークにサポートされてアクセス先のサービスプロバイダの長形式の第５ＰＳＰ‐ＩＤ（コモン長形式のＰＳＰ‐ＩＤと称してもよい。）を使用して端末機器の登録を行ってから、サーバ（例えばＰＳＰ‐ＩＤ設定サーバ）にログオンして長形式のＰＳＰ‐ＩＤと短形式のＰＳＰ‐ＩＤとのマッピング関係を取得する。当該端末機器は、当該マッピング関係を取得した後に、第５ＰＳＰ‐ＩＤに対応するネットワークからログアウトし、改めてアクセス機器を選択してネットワークにアクセスする。
【００６５】
図６は、ＵＥがネットワークから長形式のＰＳＰ‐ＩＤと短形式のＰＳＰ‐ＩＤとのマッピング関係を取得するシーケンス図である。ＵＥは、初回でネットワークにアクセスする際に、基地局にランダム的にアクセスしてＲＲＣ接続確立要求を送信する。ＵＥは、長形式のＰＳＰ‐ＩＤと短形式のＰＳＰ‐ＩＤとのマッピング関係が取得されていないため、初回でネットワークにアクセスする際に、システムブロードキャストメッセージの中の短形式のＰＳＰ‐ＩＤに基づいて、ＵＥのアクセス先の長形式のＰＳＰ‐ＩＤが基地局にサポートされるかを判断することをしない。ＲＲＣ接続確立が完了すると、ＵＥは、アクセス先のコモン長形式のＰＳＰ‐ＩＤを、ＭＭＥ（移動性管理エンティティ）に送信するアタッチ要求ＮＡＳ（非アクセス層）メッセージに付帯させる。当該コモン長形式のＰＳＰ‐ＩＤは、既定のＭｕｌｔｅＦｉｒｅネットワークにサポートされる長形式のＰＳＰ‐ＩＤである。ＭＭＥは、ＵＥから送信されるアタッチ要求を受信すると、ＵＥに要求される長形式のＰＳＰ‐ＩＤを取得し、認証、認可を完了させてＵＥの登録を許可する。
【００６６】
ＵＥは、コモン長形式のＰＳＰ‐ＩＤを使用して登録を完了させると、サーバ（例えばＰＳＰ‐ＩＤ設定サーバ）にログオンして長形式のＰＳＰ‐ＩＤと短形式のＰＳＰ‐ＩＤとのマッピング関係をダウンロードし、それからコモン長形式のＰＳＰ‐ＩＤネットワークからログアウトする。それから、ＵＥは、改めてアクセス機器を選択してネットワークにアクセスする。具体的なフローとして、ＵＥは、アクセス機器から送信されるシステムブロードキャストメッセージを受信した後に、アクセス機器から送信される短形式のＰＳＰ‐ＩＤを取得し、ダウンロードしておいた長形式のＰＳＰ‐ＩＤと短形式のＰＳＰ‐ＩＤとのマッピング関係に基づいて、アクセス機器にサポートされる長形式のＰＳＰ‐ＩＤを確定し、基地局にサポートされる長形式のＰＳＰ‐ＩＤにＵＥのアクセス先のサービスプロバイダの長形式のＰＳＰ‐ＩＤが含まれていれば、当該アクセス機器を選択してネットワークにアクセスすることを判断する。
【００６７】
本実施例において、ＵＥは、システムブロードキャストメッセージを受信することによって、基地局から送信される短形式のＰＳＰ‐ＩＤを取得し、アクセス先の長形式のＰＳＰ‐ＩＤをサポートするアクセス機器を仮選択することができる。よって、ＵＥによる基地局選択範囲の縮小やネットワークアクセス成功率の向上に有利である。ＵＥは、仮選択したアクセス機器を選択した後に、基地局に実際にサポートされる長形式のＰＳＰ‐ＩＤを取得し、アクセス機器にサポートされる長形式のＰＳＰ‐ＩＤとアクセス先のＰＳＰ‐ＩＤとの整合を行い、最終的に、整合したアクセス機器を選択してアクセスする。よって、ＵＥのアクセス成功率がさらに向上する。本実施例によれば、ＵＥからネットワークにサポートされない長形式のＰＳＰ‐ＩＤへのアクセスを要求する際に、ネットワークに拒否されて生じるシグナリングコストを効果的に回避することができる。
実施例４
【００６８】
上記実施例と同一の内容は、本実施例において繰り返して記載されない。本実施例において、サービスプロバイダの長形式のＰＳＰ‐ＩＤと短形式のＰＳＰ‐ＩＤとのマッピング関係をＮＡＳメッセージから取得する方式を提供する。具体的に、端末機器は、第１アクセス機器を選択すると、第１アクセス機器に第２接続確立要求メッセージを送信する。第１アクセス機器との無線接続確立が完了すると、アクセス先のサービスプロバイダの長形式の第１ＰＳＰ‐ＩＤが付帯される第２アタッチ要求ＮＡＳメッセージを、第１アクセス機器に対応する第２移動性管理エンティティに送信する。サービスプロバイダの長形式のＰＳＰ‐ＩＤと短形式のＰＳＰ‐ＩＤとのマッピング関係が含まれるアタッチ受信ＮＡＳメッセージを、第２移動性管理エンティティから受信する。または、サービスプロバイダの長形式のＰＳＰ‐ＩＤと短形式のＰＳＰ‐ＩＤとのマッピング関係が含まれるアタッチ拒否ＮＡＳメッセージを、第２移動性管理エンティティから受信し、それから改めて他のアクセス機器を選択してサービスプロバイダにアクセスする。
【００６９】
図７のように、ＵＥは、アクセス機器を選択してネットワークにアクセスした後に、アクセス機器にランダム的にアクセスしてＲＲＣ接続確立要求を送信する。ＵＥは、長形式のＰＳＰ‐ＩＤと短形式のＰＳＰ‐ＩＤとのマッピング関係が取得されていないため、アクセス機器を選択してアクセスする際に、システムブロードキャストメッセージの中の短形式のＰＳＰ‐ＩＤに基づいて、ＵＥのアクセス先の長形式のＰＳＰ‐ＩＤがアクセス機器にサポートされるかを判断することをしない。
【００７０】
ＲＲＣ接続確立が完了すると、ＵＥは、アクセス先のサービスプロバイダの長形式のＰＳＰ‐ＩＤと、長形式のＰＳＰ‐ＩＤと短形式のＰＳＰ‐ＩＤとのマッピング関係を要求するかの識別子を、ＭＭＥに送信するアタッチ要求ＮＡＳメッセージに付帯させる。ＭＭＥは、ＵＥから送信されるアタッチ要求を受信すると、ＵＥから要求される長形式のＰＳＰ‐ＩＤを取得する。長形式のＰＳＰ‐ＩＤがＭＭＥにサポートされなければ、ＭＭＥは、長形式のＰＳＰ‐ＩＤをサポートしないことを拒否理由としたアタッチ拒否（ＡｔｔａｃｈＲｅｊｅｃｔ）メッセージをＵＥに送信する。長形式のＰＳＰ‐ＩＤがＭＭＥにサポートされれば、ＵＥの認証成功後に、ＵＥにアタッチ受信（ＡｔｔａｃｈＡｃｃｅｐｔ）メッセージを送信する。
【００７１】
ＭＭＥは、長形式のＰＳＰ‐ＩＤと短形式のＰＳＰ‐ＩＤとのマッピング関係を要求する識別子がＡｔｔａｃｈＲｅｑｕｅｓｔメッセージに含まれると判断すると、長形式のＰＳＰ‐ＩＤと短形式のＰＳＰ‐ＩＤとのマッピング関係を上記ＡｔｔａｃｈＲｅｊｅｃｔまたはＡｔｔａｃｈＡｃｃｅｐｔメッセージに含ませる。ＭＭＥから送信可能な長形式のＰＳＰ‐ＩＤと短形式のＰＳＰ‐ＩＤとのマッピング関係の数が限られる可能性があるため、当該ＭＭＥにサポートされる長形式のＰＳＰ‐ＩＤおよびそれに対応する短形式のＰＳＰ‐ＩＤのみを送信するか、優先的に送信する。
【００７２】
ＵＥは、ＭＭＥから送信される長形式のＰＳＰ‐ＩＤと短形式のＰＳＰ‐ＩＤとのマッピング関係を受信すると、長形式のＰＳＰ‐ＩＤがサポートされないとの拒否理由でアタッチが拒否されれば、現在の基地局が当該長形式のＰＳＰ‐ＩＤをサポートしないことを意味する。すると、ＵＥは、改めて基地局を選択してアクセスする。
【００７３】
本実施例において、ＵＥは、ＮＡＳメッセージによって、基地局から送信される短形式のＰＳＰ‐ＩＤを取得し、アクセス先の長形式のＰＳＰ‐ＩＤをサポートするアクセス機器を仮選択することができる。よって、ＵＥによるアクセス機器選択範囲の縮小やネットワークアクセス成功率の向上に有利である。ＵＥは、仮選択した基地局を選択した後に、アクセス機器に実際にサポートされる長形式のＰＳＰ‐ＩＤを取得し、基地局にサポートされる長形式のＰＳＰ‐ＩＤとアクセス先のＰＳＰ‐ＩＤとの整合を行い、最終的に、整合したアクセス機器を選択してアクセスする。よって、ＵＥのアクセス成功率がさらに向上する。本実施例によれば、ＵＥからネットワークにサポートされない長形式のＰＳＰ‐ＩＤへのアクセスを要求する際に、ネットワークに拒否されて生じるシグナリングコストを効果的に回避することができる。
実施例５
【００７４】
上記実施例と同一の内容は、本実施例において繰り返して記載されない。本実施例において、ＵＥが、アクセス機器にサポートされる長形式のＰＳＰ‐ＩＤにアクセス先の長形式のＰＳＰ‐ＩＤが含まれるかを確定し、およびその後にアクセス機器を選択してネットワークにアクセスするフローを提供する。具体的に、アクセス先のサービスプロバイダの第１形式の第１サービスプロバイダＩＤを第１アクセス機器に送信し、第１アクセス機器のアクセス可否に基づいて、第１アクセス機器にサポートされる長形式のＰＳＰ‐ＩＤにアクセス先のサービスプロバイダの長形式の第１ＰＳＰ‐ＩＤが含まれるかを判断する。アクセスが第１アクセス機器に拒否されると、第１アクセス機器にサポートされる長形式のＰＳＰ‐ＩＤに第１ＰＳＰ‐ＩＤが含まれないと判断する。アクセスが第１アクセス機器に許可されると、第１アクセス機器にサポートされる長形式のＰＳＰ‐ＩＤに第１ＰＳＰ‐ＩＤが含まれると判断する。図８のように、下記ステップを含む。
【００７５】
ステップＳ８０１において、ＵＥは、アクセス先の長形式のＰＳＰ‐ＩＤをＲＲＣメッセージでレポートする。
【００７６】
ＵＥは、アクセス先の長形式のＰＳＰ‐ＩＤが当該アクセス機器にサポートされると仮判断すると、当該アクセス機器にランダム的にアクセスしてＲＲＣ接続確立を起こす。ＵＥは、アクセス先の長形式のＰＳＰ‐ＩＤを、ランダムアクセスプロセスの競合解決のうちの特定ＲＲＣメッセージによってレポートしてもよく、ＲＲＣ接続確立要求またはＲＲＣ接続確立完了でレポートしてもよい。
【００７７】
ステップＳ８０２において、ＵＥのアクセスがアクセス機器に拒否され、アクセス先の長形式のＰＳＰ‐ＩＤがアクセス機器にサポートされないと判断すると、改めてアクセス機器を選択してネットワークにアクセスするが、そうでなければ、引き続き当該アクセス機器を介してネットワークにアクセスする。
【００７８】
アクセス機器は、ＵＥからレポートされるアクセス先の長形式のＰＳＰ‐ＩＤを受信し、当該受信した長形式のＰＳＰ‐ＩＤに対し、サポートされる長形式のＰＳＰ‐ＩＤに含まれるかを判断する。上記受信した長形式のＰＳＰ‐ＩＤが含まれないと判断すると、ＵＥのアクセスを拒否する。上記受信した長形式のＰＳＰ‐ＩＤが含まれると判断すると、ＵＥのアクセスを許可する。
【００７９】
図９のように、ＵＥがランダムアクセスプロセスの競合解決要求メッセージでアクセス先の長形式のＰＳＰ‐ＩＤをレポートする場合、アクセス機器は、上記受信した長形式のＰＳＰ‐ＩＤが含まれないと判断すると、ＵＥのアクセスを拒否し、すなわち、ＵＥに送信する競合解決応答メッセージで、ＵＥのアクセス先の長形式のＰＳＰ‐ＩＤをサポートしないと指示する。アクセス機器は、上記受信した長形式のＰＳＰ‐ＩＤが含まれると判断すると、ＵＥのアクセスを許可し、すなわち、ＵＥのアクセス先の長形式のＰＳＰ‐ＩＤをサポートしない指示情報を、ＵＥに送信する競合解決応答メッセージに含ませない。ＵＥのアクセス先の長形式のＰＳＰ‐ＩＤをサポートしない識別子が競合解決応答メッセージに付帯されると、ＵＥは、アクセス先の長形式のＰＳＰ‐ＩＤが当該アクセス機器に実際にサポートされないと判断し、当該アクセス機器に対しＲＲＣ接続確立を起こさず、改めてアクセス機器を選択してネットワークにアクセスする。そうでなければ、ＵＥは、アクセス先の長形式のＰＳＰ‐ＩＤが当該アクセス機器にサポートされると判断し、当該アクセス機器に対しＲＲＣ接続確立を起こす。具体的に実現する際に、ＵＥは、長形式のＰＳＰ‐ＩＤを要求する指示を競合解決要求に含ませてもよい。よって、後にＵＥが他の長形式のＰＳＰ‐ＩＤを選択する際の参照情報となるよう、アクセス機器は、アクセス機器に実際にサポートされる長形式のＰＳＰ‐ＩＤを競合解決応答メッセージで送信する。
【００８０】
図１０のように、ＵＥがＲＲＣ接続確立要求でアクセス先の長形式のＰＳＰ‐ＩＤをレポートする場合、アクセス機器は、上記受信した長形式のＰＳＰ‐ＩＤが含まれないと判断すると、ＵＥのアクセスを拒否し、長形式のＰＳＰ‐ＩＤをサポートしないという拒否理由が含まれるＲＲＣ接続拒否メッセージをＵＥに送信する。アクセス機器は、上記受信した長形式のＰＳＰ‐ＩＤが含まれると判断すると、ＵＥのアクセスを許可し、ＲＲＣ接続確立メッセージをＵＥに送信する。ＵＥは、長形式のＰＳＰ‐ＩＤをサポートしないという拒否理由が付帯されるＲＲＣ接続拒否メッセージを受信すると、アクセス先の長形式のＰＳＰ‐ＩＤが実際に当該アクセス機器にサポートされないと判断し、改めてアクセス機器を選択してネットワークにアクセスする。具体的に実現する際に、ＵＥは、長形式のＰＳＰ‐ＩＤを要求する指示をＲＲＣ接続確立要求に含ませてもよい。よって、後にＵＥが他の長形式のＰＳＰ‐ＩＤを選択する際の参照情報となるよう、アクセス機器は、アクセス機器に実際にサポートされる長形式のＰＳＰ‐ＩＤをＲＲＣ接続確立要求で送信する。
【００８１】
図１１のように、ＵＥがＲＲＣ接続確立完了メッセージでアクセス先の長形式のＰＳＰ‐ＩＤをレポートする場合、アクセス機器は、上記受信した長形式のＰＳＰ‐ＩＤが含まれないと判断すると、ＲＲＣ接続解除を起こし、長形式のＰＳＰ‐ＩＤをサポートしないという解除理由が含まれるＲＲＣ接続解除メッセージをＵＥに送信する。そうでなければ、アクセス機器は、ＵＥのアクセスを許可する。ＵＥは、長形式のＰＳＰ‐ＩＤをサポートしないという拒否理由が付帯されるＲＲＣ接続解除メッセージを受信すると、アクセス先の長形式のＰＳＰ‐ＩＤが実際に当該アクセス機器にサポートされないと判断し、ＲＲＣ接続を解除した後に改めてアクセス機器を選択してネットワークにアクセスする。具体的に実現する際に、ＵＥは、長形式のＰＳＰ‐ＩＤを要求する指示をＲＲＣ接続確立完了に含ませてもよい。よって、後にＵＥが他の長形式のＰＳＰ‐ＩＤを選択する際の参照情報となるよう、アクセス機器は、アクセス機器に実際にサポートされる長形式のＰＳＰ‐ＩＤをＲＲＣ接続解除メッセージまたは指定ＲＲＣメッセージで送信する。
【００８２】
本実施例において、ＵＥは、仮選択したアクセス機器を選択した後に、アクセス機器に実際にサポートされる長形式のＰＳＰ‐ＩＤを取得し、アクセス機器にサポートされる長形式のＰＳＰ‐ＩＤとアクセス先のＰＳＰ‐ＩＤとの整合を行い、最終的に、整合したアクセス機器を選択してアクセスする。よって、ＵＥのアクセス成功率がさらに向上する。本実施例によれば、ＵＥからネットワークにサポートされない長形式のＰＳＰ‐ＩＤへのアクセスを要求する際に、ネットワークに拒否されて生じるシグナリングコストを効果的に回避することができる。
実施例６
【００８３】
上記実施例と同一の内容は、本実施例において繰り返して記載されない。本実施例において、ＵＥが、第１アクセス機器にサポートされる長形式のＰＳＰ‐ＩＤにアクセス先のサービスプロバイダの長形式の第１ＰＳＰ‐ＩＤが含まれるかを確定するフローを提供する。具体的に、第１アクセス機器にサポートされるサービスプロバイダの長形式のＰＳＰ‐ＩＤの送信を第１アクセス機器に要求するための第１要求情報を第１アクセス機器に送信する。第１アクセス機器にサポートされるサービスプロバイダの長形式のＰＳＰ‐ＩＤが含まれる第１応答メッセージを第１アクセス機器から受信する。第１アクセス機器にサポートされる長形式のＰＳＰ‐ＩＤにアクセス先のサービスプロバイダの長形式の第１ＰＳＰ‐ＩＤが含まれるかを判断する。例えば、無線リソース制御ＲＲＣ接続確立要求メッセージ、競合解決要求メッセージまたはＲＲＣ接続確立完了メッセージによって、第１要求情報を第１アクセス機器に送信する。
【００８４】
図１２は、ＵＥが、アクセス機器にサポートされる長形式のＰＳＰ‐ＩＤにアクセス先の長形式のＰＳＰ‐ＩＤが含まれるかを確定し、およびその後にアクセス機器を選択してネットワークにアクセスする方法を示し、下記ステップを含む。
【００８５】
ステップＳ１２０１において、ＵＥは、アクセス機器に対し、サポートされる長形式のＰＳＰ‐ＩＤの送信をＲＲＣメッセージで要求する。
【００８６】
ＵＥのアクセス先の長形式のＰＳＰ‐ＩＤが当該アクセス機器にサポートされると仮判断すると、当該アクセス機器にランダム的にアクセスしてＲＲＣ接続確立を起こす。ＵＥは、アクセス機器にサポートされる長形式のＰＳＰ‐ＩＤを、ランダムアクセスプロセスの競合解決要求メッセージのうちの特定ＲＲＣメッセージによって要求してもよく、ＲＲＣ接続確立要求またはＲＲＣ接続確立完了で要求してもよい。
【００８７】
ステップＳ１２０２において、ＵＥは、アクセス機器から送信されるＲＲＣメッセージから、アクセス機器にサポートされる長形式のＰＳＰ‐ＩＤを取得し、アクセス機器にサポートされる長形式のＰＳＰ‐ＩＤにアクセス先の長形式のＰＳＰ‐ＩＤが含まれるかを判断し、そうであると、引き続き当該アクセス機器を介してネットワークにアクセスするが、そうでなければ、改めてアクセス機器を選択してネットワークにアクセスする。
【００８８】
アクセス機器は、上記のサポートされる長形式のＰＳＰ‐ＩＤが付帯されるＲＲＣメッセージを受信すると、実際にサポートされる長形式のＰＳＰ‐ＩＤをＵＥに送信する。
【００８９】
図１３のように、ＵＥがランダムアクセスプロセスの競合解決要求メッセージで、アクセス機器にサポートされる長形式のＰＳＰ‐ＩＤを要求する場合、例えば、ＵＥの競合解決要求メッセージを受信すると、アクセス機器は、実際にサポートされる長形式のＰＳＰ‐ＩＤを競合解決応答メッセージでＵＥに送信する。ＵＥは、その中からアクセス機器にサポートされる長形式のＰＳＰ‐ＩＤを取得し、アクセス機器にサポートされる長形式のＰＳＰ‐ＩＤにアクセス先の長形式のＰＳＰ‐ＩＤが含まれるかを判断し、そうであると、引き続きＲＲＣ接続確立を起こして当該アクセス機器を介してネットワークにアクセスするが、そうでなければ、改めてアクセス機器を選択してネットワークにアクセスする。
【００９０】
図１４のように、ＵＥがＲＲＣ接続確立要求で、アクセス機器にサポートされる長形式のＰＳＰ‐ＩＤを要求する場合、アクセス機器は、実際にサポートされる長形式のＰＳＰ‐ＩＤを、ＲＲＣ接続確立メッセージでＵＥに送信する。ＵＥは、ＲＲＣ接続確立メッセージから、アクセス機器にサポートされる長形式のＰＳＰ‐ＩＤを取得し、アクセス機器にサポートされる長形式のＰＳＰ‐ＩＤにアクセス先の長形式のＰＳＰ‐ＩＤが含まれるかを判断し、そうであると、アクセス機器にＲＲＣ接続確立完了メッセージを送信してＲＲＣ接続確立を完了させるが、そうでなければ、当該アクセス機器にＲＲＣ接続確立完了メッセージを送信せず、改めてアクセス機器を選択してネットワークにアクセスする。
【００９１】
図１５のように、ＵＥがＲＲＣ接続確立完了で、アクセス機器にサポートされる長形式のＰＳＰ‐ＩＤを要求する場合、アクセス機器は、実際にサポートされる長形式のＰＳＰ‐ＩＤを、指定される専用ＲＲＣメッセージでＵＥに送信する。ＵＥは、指定される専用ＲＲＣメッセージから、アクセス機器にサポートされる長形式のＰＳＰ‐ＩＤを取得し、アクセス機器にサポートされる長形式のＰＳＰ‐ＩＤにアクセス先の長形式のＰＳＰ‐ＩＤが含まれるかを判断し、そうであると、引き続き当該アクセス機器を介してネットワークにアクセスするが、そうでなければ、当該アクセス機器とのＲＲＣ接続を解除し、改めてアクセス機器を選択してネットワークにアクセスする。
【００９２】
本実施例において、ＵＥは、仮選択したアクセス機器を選択した後に、アクセス機器に実際にサポートされる長形式のＰＳＰ‐ＩＤを取得し、アクセス機器にサポートされる長形式のＰＳＰ‐ＩＤとアクセス先のＰＳＰ‐ＩＤとの整合を行い、最終的に、整合したアクセス機器を選択してアクセスする。よって、ＵＥのアクセス成功率がさらに向上する。本実施例によれば、ＵＥからネットワークにサポートされない長形式のＰＳＰ‐ＩＤへのアクセスを要求する際に、ネットワークに拒否されて生じるシグナリングコストを効果的に回避することができる。
実施例７
【００９３】
図１６に示すサービスプロバイダＩＤ提供方法は、その実行主体がアクセス機器であり、具体的に下記ステップを含む。
【００９４】
ステップＳ１６０１において、アクセス機器にサポートされるサービスプロバイダの長形式の第１ＰＳＰ‐ＩＤに対応する短形式の第２ＰＳＰ‐ＩＤを確定し、それからステップＳ１６０２に進む。
【００９５】
選択可能に、本実施例において、端末機器は、下記４種類の方式で短形式の第２ＰＳＰ‐ＩＤを確定する。
【００９６】
方式１：アクセス機器は、サービスプロバイダの長形式のＰＳＰ‐ＩＤと短形式のＰＳＰ‐ＩＤとのマッピング関係をネットワーク配置情報から取得し、マッピング関係に基づいて、アクセス機器にサポートされるサービスプロバイダの長形式の第１ＰＳＰ‐ＩＤに対応する短形式の第２ＰＳＰ‐ＩＤを確定する。例えば、アクセス機器（例えば基地局）は、長形式のＰＳＰ‐ＩＤと短形式のＰＳＰ‐ＩＤとのマッピング関係をＯＡＭデータベースから抽出する。基地局は、サポートされる長形式のＰＳＰ‐ＩＤに基づいて、対応する短形式のＰＳＰ‐ＩＤを取得し、上記短形式のＰＳＰ‐ＩＤをシステムブロードキャストメッセージで送信する。エアインタフェースリソース節約のために、システム配置情報において、各短形式のＰＳＰ‐ＩＤが１つまたは複数の長形式のＰＳＰ‐ＩＤに対応するように設定してもよい。例えば、２つの長形式のＰＳＰ‐ＩＤである「Ａｌｉｂａｂａ  Ｇｒｏｕｐ」、「Ａｌｉｂａｂａ  Ｓｈｏｐ」は、共に短形式のＰＳＰ‐ＩＤである「Ａｌｉｂａｂａ」に対応する。
【００９７】
方式２：アクセス機器は、ネットワーク（例えばＭｕｌｔｅＦｉｒｅネットワーク）で統一される所定のアルゴリズムによって、アクセス機器にサポートされるサービスプロバイダの、長形式の第１ＰＳＰ‐ＩＤに対応する短形式の第２ＰＳＰ‐ＩＤを算出する。例えば、ＭｕｌｔｅＦｉｒｅネットワークで統一される所定のアルゴリズムは、ハッシュアルゴリズムである。もちろん、本実施例において、具体的なアルゴリズムについて限定しない。
【００９８】
方式３：アクセス機器にサポートされるサービスプロバイダの長形式の第１ＰＳＰ‐ＩＤの指定位置から抽出される数値から、対応する短形式の第２ＰＳＰ‐ＩＤを生成する。なお、本実施例において、上記指定位置について限定しない。
【００９９】
方式４：アクセス機器にサポートされる長形式の第１ＰＳＰ‐ＩＤの指定部分（例えば前の部分）を、対応する短形式の第２ＰＳＰ‐ＩＤとする。なお、本実施例において、上記指定部分について限定しない。
【０１００】
もちろん、具体的に実現する際に、上記４種類の方式以外の方式によって第２形式の第２ＰＳＰ‐ＩＤを確定してもよい。
【０１０１】
ステップＳ１６０２において、アクセス機器に接続される端末機器に第２ＰＳＰ‐ＩＤを送信する。
【０１０２】
なお、アクセス機器は、サポートされる長形式のＰＳＰ‐ＩＤに対応する短形式のＰＳＰ‐ＩＤを取得した後に、システムブロードキャストで１つまたは複数の短形式のＰＳＰ‐ＩＤを送信する。送信される短形式のＰＳＰ‐ＩＤは、その数が限られ、ネットワーク配置情報によって指定される。アクセス機器から送信される短形式のＰＳＰ‐ＩＤの数が閾値を超えると、アクセス機器は、優先度の高い短形式のＰＳＰ‐ＩＤを選択して送信する。短形式のＰＳＰ‐ＩＤの優先度は、対応する長形式のＰＳＰ‐ＩＤの優先度によって決められる。例えば、アクセス機器は、基地局の所属するＭＦネットワークを「ｈｏｍｅ」ネットワークとする長形式のＰＳＰ‐ＩＤに対応する短形式のＰＳＰ‐ＩＤを優先的に送信する。
【０１０３】
本実施例において、ＵＥは、仮選択したアクセス機器を選択した後に、アクセス機器に実際にサポートされる長形式のＰＳＰ‐ＩＤを取得し、アクセス機器にサポートされる長形式のＰＳＰ‐ＩＤとアクセス先のＰＳＰ‐ＩＤとの整合を行い、最終的に、整合したアクセス機器を選択してアクセスする。よって、ＵＥのアクセス成功率がさらに向上する。本実施例によれば、ＵＥからネットワークにサポートされない長形式のＰＳＰ‐ＩＤへのアクセスを要求する際に、ネットワークに拒否されて生じるシグナリングコストを効果的に回避することができる。
実施例８
【０１０４】
図１７に示す端末機器に用いられるサービスプロバイダＩＤ提供装置１７０は、アクセス先のサービスプロバイダの長形式の第１ＰＳＰ‐ＩＤに対応する短形式の第２ＰＳＰ‐ＩＤを確定することに用いられる第１確定モジュール１７１と、第１アクセス機器から送信される短形式の第３ＰＳＰ‐ＩＤを取得し、第３ＰＳＰ‐ＩＤに第２ＰＳＰ‐ＩＤが含まれると、第１アクセス機器を選択してサービスプロバイダにアクセスすることに用いられる第１選択モジュール１７２、および／または、第１アクセス機器から送信される短形式の第３ＰＳＰ‐ＩＤを取得し、第１アクセス機器にサポートされて第３ＰＳＰ‐ＩＤに対応する長形式の第４ＰＳＰ‐ＩＤを確定し、第４ＰＳＰ‐ＩＤに第１ＰＳＰ‐ＩＤが含まれると、第１アクセス機器を選択してサービスプロバイダにアクセスすることに用いられる第２選択モジュール１７３を備える。
【０１０５】
選択可能に、第１取得モジュールは、第１受信ユニットを備え、第２取得モジュールは、第２受信ユニットを備える。ここで、第１受信ユニットおよび第２受信ユニットは、第１アクセス機器から送信される短形式の第３ＰＳＰ‐ＩＤが付帯される通知メッセージを第１アクセス機器から受信することに用いられる。
【０１０６】
選択可能に、第１確定モジュールは、サービスプロバイダの長形式のＰＳＰ‐ＩＤと短形式のＰＳＰ‐ＩＤとのマッピング関係を取得し、マッピング関係に基づいて、端末機器のアクセス先のサービスプロバイダの長形式の第１ＰＳＰ‐ＩＤに対応する短形式の第２ＰＳＰ‐ＩＤを確定すること、または、アクセス機器にサポートされるサービスプロバイダの長形式の第１ＰＳＰ‐ＩＤに対応する短形式の第２ＰＳＰ‐ＩＤを算出すること、または、アクセス機器にサポートされるサービスプロバイダの長形式の第１ＰＳＰ‐ＩＤのうちの指定位置から抽出されるパラメータから、対応する短形式の第２ＰＳＰ‐ＩＤを生成すること、または、アクセス先のサービスプロバイダの長形式の第１ＰＳＰ‐ＩＤの指定部分を、対応する短形式の第２ＰＳＰ‐ＩＤとすることに用いられる第１確定ユニットを備える。
【０１０７】
選択可能に、第２選択モジュールは、サービスプロバイダの長形式のＰＳＰ‐ＩＤと短形式のＰＳＰ‐ＩＤとのマッピング関係を取得し、マッピング関係に基づいて、第１アクセス機器にサポートされて第３ＰＳＰ‐ＩＤに対応する長形式の第４ＰＳＰ‐ＩＤを確定することに用いられる第２確定ユニットを備える。
【０１０８】
選択可能に、第１確定ユニットは、第１マッピング関係サブユニットを備え、第２確定ユニットは、第２マッピング関係サブユニットを備える。第１マッピング関係サブユニットおよび第２マッピング関係サブユニットは、初回でネットワークにアクセスする際に、ネットワークにサポートされてアクセス先のサービスプロバイダの長形式の第５ＰＳＰ‐ＩＤを使用して端末機器の登録を行い、登録完了後に、サービスプロバイダの長形式のＰＳＰ‐ＩＤと短形式のＰＳＰ‐ＩＤとのマッピング関係をネットワークのサーバからダウンロードし、それから第５ＰＳＰ‐ＩＤに対応するネットワークからログアウトすることに用いられる。
【０１０９】
選択可能に、第１マッピング関係サブユニットおよび第２マッピング関係サブユニットは、さらに、初回でネットワークにアクセスする際に、ネットワークの第２アクセス機器に第１接続確立要求メッセージを送信し、無線接続確立が完了すると、ネットワークにサポートされてアクセス先のサービスプロバイダの第１形式の第５ＰＳＰ‐ＩＤが付帯される第１アタッチ要求メッセージを、第２アクセス機器に対応する第１移動性管理エンティティに送信して端末機器の登録を行うことに用いられる。
【０１１０】
選択可能に、第１マッピング関係サブユニットおよび第２マッピング関係サブユニットは、さらに、サービスプロバイダの長形式のＰＳＰ‐ＩＤと短形式のＰＳＰ‐ＩＤとのマッピング関係を、非アクセス層ＮＡＳメッセージによって取得することに用いられる。
【０１１１】
選択可能に、第１マッピング関係サブユニットおよび第２マッピング関係サブユニットは、さらに、第１アクセス機器を選択すると、第１アクセス機器に第２接続確立要求メッセージを送信することと、第１アクセス機器との無線接続確立が完了すると、アクセス先のサービスプロバイダの長形式の第１ＰＳＰ‐ＩＤが付帯される第２アタッチ要求ＮＡＳメッセージを、第１アクセス機器に対応する第２移動性管理エンティティに送信することと、サービスプロバイダの長形式のＰＳＰ‐ＩＤと短形式のＰＳＰ‐ＩＤとのマッピング関係が含まれるアタッチ受信ＮＡＳメッセージを、第２移動性管理エンティティから受信すること、または、サービスプロバイダの長形式のＰＳＰ‐ＩＤと短形式のＰＳＰ‐ＩＤとのマッピング関係が含まれるアタッチ拒否ＮＡＳメッセージを、第２移動性管理エンティティから受信し、それから改めて他のアクセス機器を選択してサービスプロバイダにアクセスすることに用いられる。
【０１１２】
選択可能に、装置は、第１アクセス機器にサポートされる長形式のＰＳＰ‐ＩＤにアクセス先のサービスプロバイダの長形式の第１ＰＳＰ‐ＩＤが含まれるかを確定することに用いられる判断モジュールをさらに備え、そうであると、引き続き第１アクセス機器を介してサービスプロバイダにアクセスするが、そうでなければ、改めて他のアクセス機器を選択してサービスプロバイダにアクセスする。
【０１１３】
選択可能に、装置は、第１アクセス機器にサポートされるサービスプロバイダの長形式のＰＳＰ‐ＩＤの送信を第１アクセス機器に要求するための第１要求情報を第１アクセス機器に送信することに用いられる要求モジュールをさらに備え、第１アクセス機器にサポートされるサービスプロバイダの長形式のＰＳＰ‐ＩＤが含まれる第１応答メッセージを第１アクセス機器から受信し、第１アクセス機器にサポートされる長形式のＰＳＰ‐ＩＤにアクセス先のサービスプロバイダの長形式の第１ＰＳＰ‐ＩＤが含まれるかを判断する。
【０１１４】
選択可能に、要求モジュールは、さらに、無線リソース制御ＲＲＣ接続確立要求メッセージ、競合解決要求メッセージまたはＲＲＣ接続確立完了メッセージによって、第１要求情報を第１アクセス機器に送信することに用いられる。
【０１１５】
選択可能に、判断モジュールは、アクセス先のサービスプロバイダの長形式の第１ＰＳＰ‐ＩＤを第１アクセス機器に送信し、第１アクセス機器のアクセス可否に基づいて、第１アクセス機器にサポートされる長形式のＰＳＰ‐ＩＤにアクセス先のサービスプロバイダの長形式の第１ＰＳＰ‐ＩＤが含まれるかを判断することに用いられる判断ユニットを備える。
【０１１６】
選択可能に、判断ユニットは、さらに、アクセス先のサービスプロバイダの長形式の第１ＰＳＰ‐ＩＤを競合解決要求メッセージによって第１アクセス機器に送信し、アクセス先のサービスプロバイダの長形式の第１ＰＳＰ‐ＩＤが第１アクセス機器にサポートされないことが、第１アクセス機器から受信した競合解決応答メッセージによって指示されると、第１アクセス機器にサポートされる長形式のＰＳＰ‐ＩＤにアクセス先のサービスプロバイダの長形式の第１ＰＳＰ‐ＩＤが含まれないと判断するが、アクセス先のサービスプロバイダの第１形式の第１ＰＳＰ‐ＩＤが第１アクセス機器にサポートされないことが、第１アクセス機器から受信した競合解決応答メッセージによって指示されなければ、第１アクセス機器にサポートされる第１形式のサービスプロバイダＩＤにアクセス先のサービスプロバイダの第１形式の第１ＰＳＰ‐ＩＤが含まれると判断することに用いられる。
【０１１７】
選択可能に、判断ユニットは、さらに、アクセス先のサービスプロバイダの長形式の第１ＰＳＰ‐ＩＤをＲＲＣ接続確立要求メッセージによって第１アクセス機器に送信し、第１アクセス機器から返される接続確立メッセージを受信すると、第１アクセス機器にサポートされる長形式のＰＳＰ‐ＩＤに第１ＰＳＰ‐ＩＤが含まれると判断するが、第１アクセス機器から返される接続拒否メッセージを受信すると、第１アクセス機器にサポートされる長形式のＰＳＰ‐ＩＤに第１ＰＳＰ‐ＩＤが含まれないと判断することに用いられる。
【０１１８】
選択可能に、判断ユニットは、さらに、アクセス先のサービスプロバイダの第１形式の第１サービスプロバイダＩＤが付帯される接続確立完了メッセージを第１アクセス機器に送信し、受信した接続解除メッセージによって、アクセス先のサービスプロバイダの長形式の第１ＰＳＰ‐ＩＤが第１アクセス機器にサポートされないと指示されると、第１アクセス機器にサポートされる長形式のＰＳＰ‐ＩＤにアクセス先のサービスプロバイダの長形式の第１ＰＳＰ‐ＩＤが含まれないと判断することに用いられる。
【０１１９】
本実施例において、まず、ＵＥは、アクセス先のネットワークの長形式のＰＳＰ‐ＩＤに対応する短形式のＰＳＰ‐ＩＤを確定する。アクセス機器から送信される短形式のＰＳＰ‐ＩＤには、アクセス先のネットワークの長形式のＰＳＰ‐ＩＤに対応する短形式のＰＳＰ‐ＩＤが含まれていれば、当該アクセス機器を選択してネットワークにアクセスすることを仮判断する。後に、ＵＥは、当該アクセス機器にアクセスし、当該アクセス機器に実際にサポートされる長形式のＰＳＰ‐ＩＤを取得し、上記アクセス機器にサポートされる長形式のＰＳＰ‐ＩＤにアクセス先の長形式のＰＳＰ‐ＩＤが含まれるかを確定し、そうであると、引き続き上記アクセス機器にアクセスするが、そうでなければ、改めて他のアクセス機器を選択してネットワークにアクセスする。
【０１２０】
ＵＥは、システムブロードキャストメッセージを受信することによって、アクセス機器から送信される短形式のＰＳＰ‐ＩＤを取得し、アクセス先の長形式のＰＳＰ‐ＩＤをサポートするアクセス機器を仮選択することができる。よって、ＵＥによるアクセス機器選択範囲の縮小やネットワークアクセス成功率の向上に有利である。ＵＥは、仮選択したアクセス機器を選択した後に、アクセス機器に実際にサポートされる長形式のＰＳＰ‐ＩＤを取得し、アクセス機器にサポートされる長形式のＰＳＰ‐ＩＤとアクセス先のＰＳＰ‐ＩＤとの整合を行い、最終的に、整合したアクセス機器を選択してアクセスする。よって、ＵＥのアクセス成功率がさらに向上する。本実施例によれば、ＵＥからネットワークにサポートされない長形式のＰＳＰ‐ＩＤへのアクセスを要求する際に、ネットワークに拒否されて生じるシグナリングコストを効果的に回避することができる。
【０１２１】
一実施例において、サービスプロバイダＩＤ提供装置は、プロセッサと、バスインタフェースを介してプロセッサに接続されるメモリを備える。メモリは、プロセッサによる操作実行に使用されるプログラムとデータを記憶することに用いられる。プロセッサは、メモリに記憶されているプログラムとデータを呼び出して実行すると、例えば第１確定モジュール１７１、第１選択モジュール１７２、および第２選択モジュール１７３の上記機能モジュールの機能を実現し、同一の技術効果を奏することもできる。
実施例９
【０１２２】
本実施例において、上記実施例８に記載のサービスプロバイダＩＤ提供装置を備える端末機器を提供する。当該端末機器は、移動電話機（または携帯電話）、またはそれ以外の無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をｗｉｆｉ信号に変換可能なＣＰＥまたはＭｉｆｉ、スマート家電、またはそれ以外の人の操作によらずに自発的に移動通信ネットワークと通信可能な機器などが含まれる。
実施例１０
【０１２３】
図１８に示すアクセス機器に用いられるサービスプロバイダＩＤ提供装置１８０は、アクセス機器にサポートされるサービスプロバイダの長形式の第１ＰＳＰ‐ＩＤに対応する短形式の第２ＰＳＰ‐ＩＤを確定することに用いられる第２確定モジュール１８１と、アクセス機器に接続される端末機器に第２ＰＳＰ‐ＩＤを送信することに用いられる送信モジュール１８２とを備える。
【０１２４】
選択可能に、第２確定モジュール１８１は、さらに、サービスプロバイダの長形式のＰＳＰ‐ＩＤと短形式のＰＳＰ‐ＩＤとのマッピング関係を取得し、マッピング関係に基づいて、アクセス機器にサポートされるサービスプロバイダの長形式の第１ＰＳＰ‐ＩＤに対応する短形式のＰＳＰ‐ＩＤを確定すること、または、アクセス機器にサポートされるサービスプロバイダの長形式の第１ＰＳＰ‐ＩＤに対応する短形式の第２ＰＳＰ‐ＩＤを算出すること、または、アクセス機器にサポートされるサービスプロバイダの長形式の第１ＰＳＰ‐ＩＤのうちの指定位置から抽出されるパラメータから、対応する短形式の第２ＰＳＰ‐ＩＤを生成すること、または、端末機器のアクセス先のサービスプロバイダの長形式の第１ＰＳＰ‐ＩＤの指定部分を、対応する短形式の第２ＰＳＰ‐ＩＤとすることに用いられる。
【０１２５】
選択可能に、送信モジュール１８２は、さらに、送信される第２ＰＳＰ‐ＩＤの数が所定の閾値を超えると、送信される第２ＰＳＰ‐ＩＤの優先度順に、アクセス機器に接続される端末機器に第２ＰＳＰ‐ＩＤを送信することに用いられる。ここで、第２ＰＳＰ‐ＩＤの優先度は、対応する第１ＰＳＰ‐ＩＤに関連する。
【０１２６】
本実施例において、まず、ＵＥは、アクセス先のネットワークの長形式のＰＳＰ‐ＩＤに対応する短形式のＰＳＰ‐ＩＤを確定する。アクセス機器から送信される短形式のＰＳＰ‐ＩＤには、アクセス先のネットワークの長形式のＰＳＰ‐ＩＤに対応する短形式のＰＳＰ‐ＩＤが含まれていれば、当該アクセス機器を選択してネットワークにアクセスすることを仮判断する。後に、ＵＥは、当該アクセス機器にアクセスし、当該アクセス機器に実際にサポートされる長形式のＰＳＰ‐ＩＤを取得し、上記アクセス機器にサポートされる長形式のＰＳＰ‐ＩＤにアクセス先の長形式のＰＳＰ‐ＩＤが含まれるかを確定し、そうであると、引き続き上記アクセス機器にアクセスするが、そうでなければ、改めて他のアクセス機器を選択してネットワークにアクセスする。
【０１２７】
一実施例において、サービスプロバイダＩＤ提供装置は、プロセッサと、バスインタフェースを介してプロセッサに接続されるメモリとを備える。メモリは、プロセッサによる操作実行に使用されるプログラムとデータを記憶することに用いられる。プロセッサは、メモリに記憶されているプログラムとデータを呼び出して実行すると、例えば第２確定モジュール１８１および送信モジュール１８２の上記機能モジュールの機能を実現し、同一の技術効果を奏することもできる。
実施例１１
【０１２８】
本実施例において、上記実施例１０に記載のサービスプロバイダＩＤ提供装置を備えるアクセス機器を提供する。アクセス機器（ＭＦアクセス機器と称してもよい。）は、基地局であってもよい。もちろん、基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、ＥＮＢ（Ｅｎｈａｎｃｅｄ  Ｎｏｄｅ  Ｂ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）などである。
【０１２９】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０１３０】
本発明の各実施例において、上記各プロセスの番号の大きさは、実行順の前後を意味するのではなく、各プロセスの実行順は、その機能および内在的な論理によって確定されるものであり、本発明の実施例の実施プロセスに対し一切限定を構成しないと理解すべきである。
【０１３１】
また、本文において、「システム」と「ネットワーク」は、常に互換して使用することができる。
【０１３２】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０１３３】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０１３４】
本願で提供されるいくつかの実施例において、発明された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１３５】
また、本発明の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１３６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本発明の各実施例の送受信方法のステップの一部をコンピュータ装置（パーソナルコンピュータ、サーバ、又はネットワークデバイスであってもよい）に実行させるいくつかの指令を含む。上記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１３７】
以上記載されたのは、本発明の好適な実施形態である。当業者は、本発明に記載されている原理を逸脱せずに様々な改良や修飾をすることもできる。これらの改良や修飾も、本発明の保護範囲内に含まれる。
【０１３８】
Ａ１）端末機器に用いられるサービスプロバイダＩＤ提供方法において、アクセス先のサービスプロバイダの第１形式の第１サービスプロバイダＩＤに対応する第２形式の第２サービスプロバイダＩＤを確定することと、第１アクセス機器から送信される第２形式の第３サービスプロバイダＩＤを取得し、第３サービスプロバイダＩＤに第２サービスプロバイダＩＤが含まれると、第１アクセス機器を選択してサービスプロバイダにアクセスすること、または、第１アクセス機器から送信される第２形式の第３サービスプロバイダＩＤを取得し、第１アクセス機器にサポートされて第３サービスプロバイダＩＤに対応する第１形式の第４サービスプロバイダＩＤを確定し、第４サービスプロバイダＩＤに第１サービスプロバイダＩＤが含まれると、第１アクセス機器を選択してサービスプロバイダにアクセスすることを含む。
【０１３９】
Ａ２）Ａ１に記載の方法において、第１アクセス機器から送信される第２形式の第３サービスプロバイダＩＤを取得することは、第１アクセス機器から送信される第２形式の第３サービスプロバイダＩＤが付帯される通知メッセージを第１アクセス機器から受信することを含む。
【０１４０】
Ａ３）Ａ１に記載の方法において、端末機器のアクセス先のサービスプロバイダの第１形式の第１サービスプロバイダＩＤに対応する第２形式の第２サービスプロバイダＩＤを確定することは、サービスプロバイダの第１形式のサービスプロバイダＩＤと第２形式のサービスプロバイダＩＤとのマッピング関係を取得し、マッピング関係に基づいて、端末機器のアクセス先のサービスプロバイダの第１形式の第１サービスプロバイダＩＤに対応する第２形式の第２サービスプロバイダＩＤを確定すること、または、アクセス機器にサポートされるサービスプロバイダの第１形式の第１サービスプロバイダＩＤに対応する第２形式の第２サービスプロバイダＩＤを算出すること、または、アクセス機器にサポートされるサービスプロバイダの第１形式の第１サービスプロバイダＩＤのうちの指定位置から抽出されるパラメータから、対応する第２形式の第２サービスプロバイダＩＤを生成すること、または、アクセス先のサービスプロバイダの第１形式の第１サービスプロバイダＩＤの指定部分を、対応する第２形式の第２サービスプロバイダＩＤとすることを含む。
【０１４１】
Ａ４）Ａ１に記載の方法において、第１アクセス機器にサポートされて第３サービスプロバイダＩＤに対応する第１形式の第４サービスプロバイダＩＤを確定することは、サービスプロバイダの第１形式のサービスプロバイダＩＤと第２形式のサービスプロバイダＩＤとのマッピング関係を取得することと、マッピング関係に基づいて、第１アクセス機器にサポートされて第３サービスプロバイダＩＤに対応する第１形式の第４サービスプロバイダＩＤを確定することとを含む。
【０１４２】
Ａ５）Ａ３またはＡ４に記載の方法において、サービスプロバイダの第１形式のサービスプロバイダＩＤと第２形式のサービスプロバイダＩＤとのマッピング関係を取得することは、初回でネットワークにアクセスする際に、ネットワークにサポートされてアクセス先のサービスプロバイダの第１形式の第５サービスプロバイダＩＤを使用して端末機器の登録を行うことと、登録完了後に、サービスプロバイダの第１形式のサービスプロバイダＩＤと第２形式のサービスプロバイダＩＤとのマッピング関係をネットワークのサーバからダウンロードし、それから第５サービスプロバイダＩＤに対応するネットワークからログアウトすることとを含む。
【０１４３】
Ａ６）Ａ５に記載の方法において、初回でネットワークにアクセスする際に、ネットワークにサポートされてアクセス先のサービスプロバイダの第１形式の第５サービスプロバイダＩＤを使用して登録を行うことは、初回でネットワークにアクセスする際に、ネットワークの第２アクセス機器に第１接続確立要求メッセージを送信することと、無線接続確立が完了すると、ネットワークにサポートされてアクセス先のサービスプロバイダの第１形式の第５サービスプロバイダＩＤが付帯される第１アタッチ要求メッセージを、第２アクセス機器に対応する第１移動性管理エンティティに送信して端末機器の登録を行うこととを含む。
【０１４４】
Ａ７）Ａ３またはＡ４に記載の方法において、サービスプロバイダの第１形式のサービスプロバイダＩＤと第２形式のサービスプロバイダＩＤとのマッピング関係を取得することは、サービスプロバイダの第１形式のサービスプロバイダＩＤと第２形式のサービスプロバイダＩＤとのマッピング関係を、非アクセス層ＮＡＳメッセージによって取得することを含む。
【０１４５】
Ａ８）Ａ７に記載の方法において、サービスプロバイダの第１形式のサービスプロバイダＩＤと第２形式のサービスプロバイダＩＤとのマッピング関係を、非アクセス層ＮＡＳメッセージによって取得することは、端末機器が第１アクセス機器を選択すると、第１アクセス機器に第２接続確立要求メッセージを送信することと、第１アクセス機器との無線接続確立が完了すると、アクセス先のサービスプロバイダの第１形式の第１サービスプロバイダＩＤが付帯される第２アタッチ要求ＮＡＳメッセージを、第１アクセス機器に対応する第２移動性管理エンティティに送信することと、サービスプロバイダの第１形式のサービスプロバイダＩＤと第２形式のサービスプロバイダＩＤとのマッピング関係が含まれるアタッチ受信ＮＡＳメッセージを、第２移動性管理エンティティから受信すること、または、サービスプロバイダの第１形式のサービスプロバイダＩＤと第２形式のサービスプロバイダＩＤとのマッピング関係が含まれるアタッチ拒否ＮＡＳメッセージを、第２移動性管理エンティティから受信し、それから改めて他のアクセス機器を選択してサービスプロバイダにアクセスすることを含む。
【０１４６】
Ａ９）Ａ１に記載の方法において、第１アクセス機器にサポートされる第１形式のサービスプロバイダＩＤにアクセス先のサービスプロバイダの第１形式の第１サービスプロバイダＩＤが含まれるかを確定することをさらに含み、そうであると、引き続き第１アクセス機器を介してサービスプロバイダにアクセスするが、そうでなければ、改めて他のアクセス機器を選択してサービスプロバイダにアクセスする。
【０１４７】
Ａ１０）Ａ９に記載の方法において、第１アクセス機器にサポートされる第１形式のサービスプロバイダＩＤにアクセス先のサービスプロバイダの第１形式の第１サービスプロバイダＩＤが含まれるかを確定することは、第１アクセス機器にサポートされるサービスプロバイダの第１形式のサービスプロバイダＩＤの送信を第１アクセス機器に要求するための第１要求情報を第１アクセス機器に送信することと、第１アクセス機器にサポートされるサービスプロバイダの第１形式のサービスプロバイダＩＤが含まれる第１応答メッセージを第１アクセス機器から受信することと、第１アクセス機器にサポートされる第１形式のサービスプロバイダＩＤにアクセス先のサービスプロバイダの第１形式の第１サービスプロバイダＩＤが含まれるかを判断することとを含む。
【０１４８】
Ａ１１）Ａ１０に記載の方法において、無線リソース制御ＲＲＣ接続確立要求メッセージ、競合解決要求メッセージまたはＲＲＣ接続確立完了メッセージによって、第１要求情報を第１アクセス機器に送信する。
【０１４９】
Ａ１２）Ａ９に記載の方法において、第１アクセス機器にサポートされる第１形式のサービスプロバイダＩＤにアクセス先のサービスプロバイダの第１形式の第１サービスプロバイダＩＤが含まれるかを確定することは、アクセス先のサービスプロバイダの第１形式の第１サービスプロバイダＩＤを第１アクセス機器に送信することと、第１アクセス機器のアクセス可否に基づいて、第１アクセス機器にサポートされる第１形式のサービスプロバイダＩＤにアクセス先のサービスプロバイダの第１形式の第１サービスプロバイダＩＤが含まれるかを判断することとを含む。
【０１５０】
Ａ１３）Ａ１２に記載の方法において、アクセス先のサービスプロバイダの第１形式の第１サービスプロバイダＩＤを第１アクセス機器に送信し、第１アクセス機器のアクセス可否に基づいて、第１アクセス機器にサポートされる第１形式のサービスプロバイダＩＤにアクセス先のサービスプロバイダの第１形式の第１サービスプロバイダＩＤが含まれるかを判断することは、アクセス先のサービスプロバイダの第１形式の第１サービスプロバイダＩＤを競合解決要求メッセージによって第１アクセス機器に送信し、アクセス先のサービスプロバイダの第１形式の第１サービスプロバイダＩＤが第１アクセス機器にサポートされないことが第１アクセス機器から受信した競合解決応答メッセージによって指示されると、第１アクセス機器にサポートされる第１形式のサービスプロバイダＩＤにアクセス先のサービスプロバイダの第１形式の第１サービスプロバイダＩＤが含まれないと判断するが、アクセス先のサービスプロバイダの第１形式の第１サービスプロバイダＩＤが第１アクセス機器にサポートされないことが第１アクセス機器から受信した競合解決応答メッセージによって指示されなければ、第１アクセス機器にサポートされる第１形式のサービスプロバイダＩＤにアクセス先のサービスプロバイダの第１形式の第１サービスプロバイダＩＤが含まれると判断することを含む。
【０１５１】
Ａ１４）Ａ１２に記載の方法において、アクセス先のサービスプロバイダの第１形式の第１サービスプロバイダＩＤを第１アクセス機器に送信し、第１アクセス機器のアクセス可否に基づいて、第１アクセス機器にサポートされる第１形式のサービスプロバイダＩＤにアクセス先のサービスプロバイダの第１形式の第１サービスプロバイダＩＤが含まれるかを判断することは、アクセス先のサービスプロバイダの第１形式の第１サービスプロバイダＩＤをＲＲＣ接続確立要求メッセージによって第１アクセス機器に送信し、第１アクセス機器から返される接続確立メッセージを受信すると、第１アクセス機器にサポートされる第１形式のサービスプロバイダＩＤに第１サービスプロバイダＩＤが含まれると判断するが、第１アクセス機器から返される接続拒否メッセージを受信すると、第１アクセス機器にサポートされる第１形式のサービスプロバイダＩＤに第１サービスプロバイダＩＤが含まれないと判断することを含む。
【０１５２】
Ａ１５）Ａ１２に記載の方法において、アクセス先のサービスプロバイダの第１形式の第１サービスプロバイダＩＤを第１アクセス機器に送信し、第１アクセス機器のアクセス可否に基づいて、第１アクセス機器にサポートされる第１形式のサービスプロバイダＩＤにアクセス先のサービスプロバイダの第１形式の第１サービスプロバイダＩＤが含まれるかを判断することは、アクセス先のサービスプロバイダの第１形式の第１サービスプロバイダＩＤが付帯される接続確立完了メッセージを第１アクセス機器に送信し、受信した接続解除メッセージによって、アクセス先のサービスプロバイダの第１形式の第１サービスプロバイダＩＤが第１アクセス機器にサポートされないと指示されると、第１アクセス機器にサポートされる第１形式のサービスプロバイダＩＤにアクセス先のサービスプロバイダの第１形式の第１サービスプロバイダＩＤが含まれないと判断することを含む。
【０１５３】
Ｂ１６）アクセス機器に用いられるサービスプロバイダＩＤ提供方法において、アクセス機器にサポートされるサービスプロバイダの第１形式の第１サービスプロバイダＩＤに対応する第２形式の第２サービスプロバイダＩＤを確定することと、アクセス機器に接続される端末機器に第２サービスプロバイダＩＤを送信することとを含む。
【０１５４】
Ｂ１７）Ｂ１６に記載の方法において、アクセス機器にサポートされるサービスプロバイダの第１形式の第１サービスプロバイダＩＤに対応する第２形式の第２サービスプロバイダＩＤを確定することは、サービスプロバイダの第１形式のサービスプロバイダＩＤと第２形式のサービスプロバイダＩＤとのマッピング関係を取得し、マッピング関係に基づいて、アクセス機器にサポートされるサービスプロバイダの第１形式の第１サービスプロバイダＩＤに対応する第２形式の第２サービスプロバイダＩＤを確定すること、または、アクセス機器にサポートされるサービスプロバイダの第１形式の第１サービスプロバイダＩＤに対応する第２形式の第２サービスプロバイダＩＤを算出すること、または、アクセス機器にサポートされるサービスプロバイダの第１形式の第１サービスプロバイダＩＤのうちの指定位置から抽出されるパラメータから、対応する第２形式の第２サービスプロバイダＩＤを生成すること、または、端末機器のアクセス先のサービスプロバイダの第１形式の第１サービスプロバイダＩＤの指定部分を、対応する第２形式の第２サービスプロバイダＩＤとすることを含む。
【０１５５】
Ｂ１８）Ｂ１６に記載の方法において、アクセス機器に接続される端末機器に第２サービスプロバイダＩＤを送信することは、送信される第２サービスプロバイダＩＤの数が所定の閾値を超えると、送信される第２サービスプロバイダＩＤの優先度順に、アクセス機器に接続される端末機器に第２サービスプロバイダＩＤを送信することを含み、ここで、第２サービスプロバイダＩＤの優先度は、対応する第１サービスプロバイダＩＤに関連する。
【０１５６】
Ｂ１９）Ｂ１６からＢ１８のいずれかに記載の方法において、サービスプロバイダの１つまたは複数の第１形式のサービスプロバイダＩＤが１つの第２形式のサービスプロバイダＩＤに対応し、かつ第２形式のサービスプロバイダＩＤの長さが第１形式のサービスプロバイダＩＤの長さより小さい。
【０１５７】
Ｃ２０）端末機器に用いられるサービスプロバイダＩＤ提供装置において、アクセス先のサービスプロバイダの第１形式の第１サービスプロバイダＩＤに対応する第２形式の第２サービスプロバイダＩＤを確定することに用いられる第１確定モジュールと、第１アクセス機器から送信される第２形式の第３サービスプロバイダＩＤを取得し、第３サービスプロバイダＩＤに第２サービスプロバイダＩＤが含まれると、第１アクセス機器を選択してサービスプロバイダにアクセスすることに用いられる第１選択モジュール、および／または、第１アクセス機器から送信される第２形式の第３サービスプロバイダＩＤを取得し、第１アクセス機器にサポートされて第３サービスプロバイダＩＤに対応する第１形式の第４サービスプロバイダＩＤを確定し、第４サービスプロバイダＩＤに第１サービスプロバイダＩＤが含まれると、第１アクセス機器を選択してサービスプロバイダにアクセスすることに用いられる第２選択モジュールを含む。
【０１５８】
Ｃ２１）Ｃ２０に記載の装置において、第１選択モジュールは、第１受信ユニットを含み、第２選択モジュールは、第２受信ユニットを含み、ここで、第１受信ユニットと第２受信ユニットは、第１アクセス機器から送信される第２形式の第３サービスプロバイダＩＤが付帯される通知メッセージを第１アクセス機器から受信することに用いられる。
【０１５９】
Ｃ２２）Ｃ２０に記載の装置において、第１確定モジュールは、サービスプロバイダの第１形式のサービスプロバイダＩＤと第２形式のサービスプロバイダＩＤとのマッピング関係を取得し、マッピング関係に基づいて、端末機器のアクセス先のサービスプロバイダの第１形式の第１サービスプロバイダＩＤに対応する第２形式の第２サービスプロバイダＩＤを確定すること、または、アクセス機器にサポートされるサービスプロバイダの第１形式の第１サービスプロバイダＩＤに対応する第２形式の第２サービスプロバイダＩＤを算出すること、または、アクセス機器にサポートされるサービスプロバイダの第１形式の第１サービスプロバイダＩＤのうちの指定位置から抽出されるパラメータから、対応する第２形式の第２サービスプロバイダＩＤを生成すること、または、アクセス先のサービスプロバイダの第１形式の第１サービスプロバイダＩＤの指定部分を、対応する第２形式の第２サービスプロバイダＩＤとすることに用いられる第１確定ユニットを含む。
【０１６０】
Ｃ２３）Ｃ２２に記載の装置において、第２選択モジュールは、サービスプロバイダの第１形式のサービスプロバイダＩＤと第２形式のサービスプロバイダＩＤとのマッピング関係を取得し、マッピング関係に基づいて、第１アクセス機器にサポートされて第３サービスプロバイダＩＤに対応する第１形式の第４サービスプロバイダＩＤを確定することに用いられる第２確定ユニットを含む。
【０１６１】
Ｃ２４）Ｃ２２またはＣ２３に記載の装置において、第１確定ユニットは、第１マッピング関係サブユニットを含み、第２確定ユニットは、第２マッピング関係サブユニットを含み、第１マッピング関係サブユニットと第２マッピング関係サブユニットは、初回でネットワークにアクセスする際に、ネットワークにサポートされてアクセス先のサービスプロバイダの第１形式の第５サービスプロバイダＩＤを使用して端末機器の登録を行い、登録完了後に、サービスプロバイダの第１形式のサービスプロバイダＩＤと第２形式のサービスプロバイダＩＤとのマッピング関係をネットワークのサーバからダウンロードし、それから第５サービスプロバイダＩＤに対応するネットワークからログアウトすることに用いられる。
【０１６２】
Ｃ２５）Ｃ２４に記載の装置において、第１マッピング関係サブユニットと第２マッピング関係サブユニットは、さらに、初回でネットワークにアクセスする際に、ネットワークの第２アクセス機器に第１接続確立要求メッセージを送信し、無線接続確立が完了すると、ネットワークにサポートされてアクセス先のサービスプロバイダの第１形式の第５サービスプロバイダＩＤが付帯される第１アタッチ要求メッセージを、第２アクセス機器に対応する第１移動性管理エンティティに送信して端末機器の登録を行うことに用いられる。
【０１６３】
Ｃ２６）Ｃ２４に記載の装置において、第１マッピング関係サブユニットと第２マッピング関係サブユニットは、さらに、サービスプロバイダの第１形式のサービスプロバイダＩＤと第２形式のサービスプロバイダＩＤとのマッピング関係を、非アクセス層ＮＡＳメッセージによって取得することに用いられる。
【０１６４】
Ｃ２７）Ｃ２６に記載の装置において、第１マッピング関係サブユニットと第２マッピング関係サブユニットは、さらに、端末機器が第１アクセス機器を選択すると、第１アクセス機器に第２接続確立要求メッセージを送信することと、第１アクセス機器との無線接続確立が完了すると、アクセス先のサービスプロバイダの第１形式の第１サービスプロバイダＩＤが付帯される第２アタッチ要求ＮＡＳメッセージを、第１アクセス機器に対応する第２移動性管理エンティティに送信することと、サービスプロバイダの第１形式のサービスプロバイダＩＤと第２形式のサービスプロバイダＩＤとのマッピング関係が含まれるアタッチ受信ＮＡＳメッセージを、第２移動性管理エンティティから受信すること、または、サービスプロバイダの第１形式のサービスプロバイダＩＤと第２形式のサービスプロバイダＩＤとのマッピング関係が含まれるアタッチ拒否ＮＡＳメッセージを、第２移動性管理エンティティから受信し、それから改めて他のアクセス機器を選択してサービスプロバイダにアクセスすることに用いられる。
【０１６５】
Ｃ２８）Ｃ２０に記載の装置において、第１アクセス機器にサポートされる第１形式のサービスプロバイダＩＤにアクセス先のサービスプロバイダの第１形式の第１サービスプロバイダＩＤが含まれるかを確定することに用いられる判断モジュールをさらに含み、そうであると、引き続き第１アクセス機器を介してサービスプロバイダにアクセスするが、そうでなければ、改めて他のアクセス機器を選択してサービスプロバイダにアクセスする。
【０１６６】
Ｃ２９）Ｃ２８に記載の装置において、第１アクセス機器にサポートされるサービスプロバイダの第１形式のサービスプロバイダＩＤの送信を第１アクセス機器に要求するための第１要求情報を第１アクセス機器に送信することに用いられる要求モジュールをさらに含み、第１アクセス機器にサポートされるサービスプロバイダの第１形式のサービスプロバイダＩＤが含まれる第１応答メッセージを第１アクセス機器から受信し、第１アクセス機器にサポートされる第１形式のサービスプロバイダＩＤにアクセス先のサービスプロバイダの第１形式の第１サービスプロバイダＩＤが含まれるかを判断する。
【０１６７】
Ｃ３０）Ｃ２８に記載の装置において、要求モジュールは、さらに、無線リソース制御ＲＲＣ接続確立要求メッセージ、競合解決要求メッセージまたはＲＲＣ接続確立完了メッセージによって、第１要求情報を第１アクセス機器に送信することに用いられる。
【０１６８】
Ｃ３１）Ｃ２８に記載の装置において、判断モジュールは、アクセス先のサービスプロバイダの第１形式の第１サービスプロバイダＩＤを第１アクセス機器に送信し、第１アクセス機器のアクセス可否に基づいて、第１アクセス機器にサポートされる第１形式のサービスプロバイダＩＤにアクセス先のサービスプロバイダの第１形式の第１サービスプロバイダＩＤが含まれるかを判断することに用いられる判断ユニットを含む。
【０１６９】
Ｃ３２）Ｃ３１に記載の装置において、判断ユニットは、さらに、アクセス先のサービスプロバイダの第１形式の第１サービスプロバイダＩＤを競合解決要求メッセージによって第１アクセス機器に送信し、アクセス先のサービスプロバイダの第１形式の第１サービスプロバイダＩＤが第１アクセス機器にサポートされないことが第１アクセス機器から受信した競合解決応答メッセージによって指示されると、第１アクセス機器にサポートされる第１形式のサービスプロバイダＩＤにアクセス先のサービスプロバイダの第１形式の第１サービスプロバイダＩＤが含まれないと判断するが、アクセス先のサービスプロバイダの第１形式の第１サービスプロバイダＩＤが第１アクセス機器にサポートされないことが第１アクセス機器から受信した競合解決応答メッセージによって指示されなければ、第１アクセス機器にサポートされる第１形式のサービスプロバイダＩＤにアクセス先のサービスプロバイダの第１形式の第１サービスプロバイダＩＤが含まれると判断することに用いられる。
【０１７０】
Ｃ３３）Ｃ３１に記載の装置において、判断ユニットは、さらに、アクセス先のサービスプロバイダの第１形式の第１サービスプロバイダＩＤをＲＲＣ接続確立要求メッセージによって第１アクセス機器に送信し、第１アクセス機器から返される接続確立メッセージを受信すると、第１アクセス機器にサポートされる第１形式のサービスプロバイダＩＤに第１サービスプロバイダＩＤが含まれると判断するが、第１アクセス機器から返される接続拒否メッセージを受信すると、第１アクセス機器にサポートされる第１形式のサービスプロバイダＩＤに第１サービスプロバイダＩＤが含まれないと判断することに用いられる。
【０１７１】
Ｃ３４）Ｃ３１に記載の装置において、判断ユニットは、さらに、アクセス先のサービスプロバイダの第１形式の第１サービスプロバイダＩＤが付帯される接続確立完了メッセージを第１アクセス機器に送信し、受信した接続解除メッセージによって、アクセス先のサービスプロバイダの第１形式の第１サービスプロバイダＩＤが第１アクセス機器にサポートされないと指示されると、第１アクセス機器にサポートされる第１形式のサービスプロバイダＩＤにアクセス先のサービスプロバイダの第１形式の第１サービスプロバイダＩＤが含まれないと判断することに用いられる。
【０１７２】
Ｄ３５）Ｃ２０からＣ３４のいずれかに記載のサービスプロバイダＩＤ提供装置を含む端末機器。
【０１７３】
Ｅ３６）アクセス機器に用いられるサービスプロバイダＩＤ提供装置において、アクセス機器にサポートされるサービスプロバイダの第１形式の第１サービスプロバイダＩＤに対応する第２形式の第２サービスプロバイダＩＤを確定することに用いられる第２確定モジュールと、アクセス機器に接続される端末機器に第２サービスプロバイダＩＤを送信することに用いられる送信モジュールとを含む。
【０１７４】
Ｅ３７）Ｅ３６に記載の装置において、第２確定モジュールは、さらにサービスプロバイダの第１形式のサービスプロバイダＩＤと第２形式のサービスプロバイダＩＤとのマッピング関係を取得し、マッピング関係に基づいて、アクセス機器にサポートされるサービスプロバイダの第１形式の第１サービスプロバイダＩＤに対応する第２形式の第２サービスプロバイダＩＤを確定すること、または、アクセス機器にサポートされるサービスプロバイダの第１形式の第１サービスプロバイダＩＤに対応する第２形式の第２サービスプロバイダＩＤを算出すること、または、アクセス機器にサポートされるサービスプロバイダの第１形式の第１サービスプロバイダＩＤのうちの指定位置から抽出されるパラメータから、対応する第２形式の第２サービスプロバイダＩＤを生成すること、または、端末機器のアクセス先のサービスプロバイダの第１形式の第１サービスプロバイダＩＤの指定部分を、対応する第２形式の第２サービスプロバイダＩＤとすることに用いられる。
【０１７５】
Ｅ３８）Ｅ３６に記載の装置において、送信モジュールは、さらに、送信される第２サービスプロバイダＩＤの数が所定の閾値を超えると、送信される第２サービスプロバイダＩＤの優先度順に、アクセス機器に接続される端末機器に第２サービスプロバイダＩＤを送信することに用いられ、ここで、第２サービスプロバイダＩＤの優先度は、対応する第１サービスプロバイダＩＤに関連する。
【０１７６】
Ｅ３９）Ｅ３６からＥ３８のいずれかに記載の装置において、サービスプロバイダの少なくとも１つの第１形式のサービスプロバイダＩＤが１つの第２形式のサービスプロバイダＩＤに対応し、かつ第２形式のサービスプロバイダＩＤの長さが第１形式のサービスプロバイダＩＤの長さより小さい。
【０１７７】
Ｆ４０）Ｅ３６からＥ３９のいずれかに記載のサービスプロバイダＩＤ提供装置を備えるアクセス機器。
【図１】
2019507989.tif 000003
【図２】
2019507989.tif 000004
【図３】
2019507989.tif 000005
【図４】
2019507989.tif 000006
【図５】
2019507989.tif 000007
【図６】
2019507989.tif 000008
【図７】
2019507989.tif 000009
【図８】
2019507989.tif 000010
【図９】
2019507989.tif 000011
【図１０】
2019507989.tif 000012
【図１１】
2019507989.tif 000013
【図１２】
2019507989.tif 000014
【図１３】
2019507989.tif 000015
【図１４】
2019507989.tif 000016
【図１５】
2019507989.tif 000017
【図１６】
2019507989.tif 000018
【図１７】
2019507989.tif 000019
【図１８】
2019507989.tif 000020
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
端末機器に用いられるサービスプロバイダＩＤ提供方法において、
アクセス先のサービスプロバイダの第１形式の第１サービスプロバイダＩＤに対応する第２形式の第２サービスプロバイダＩＤを確定することと、
第１アクセス機器から送信される第２形式の第３サービスプロバイダＩＤを取得し、該第３サービスプロバイダＩＤに前記第２サービスプロバイダＩＤが含まれると、前記第１アクセス機器を選択して前記サービスプロバイダにアクセスすること、または、前記第１アクセス機器から送信される第２形式の前記第３サービスプロバイダＩＤを取得し、前記第１アクセス機器にサポートされて前記第３サービスプロバイダＩＤに対応する第１形式の第４サービスプロバイダＩＤを確定し、該第４サービスプロバイダＩＤに前記第１サービスプロバイダＩＤが含まれると、前記第１アクセス機器を選択して前記サービスプロバイダにアクセスすることを含むサービスプロバイダＩＤ提供方法。
【請求項２】
前記第１アクセス機器から送信される第２形式の前記第３サービスプロバイダＩＤを取得することは、
前記第１アクセス機器から送信される第２形式の前記第３サービスプロバイダＩＤが付帯される通知メッセージを前記第１アクセス機器から受信することを含む請求項１に記載の方法。
【請求項３】
前記端末機器のアクセス先の前記サービスプロバイダの第１形式の前記第１サービスプロバイダＩＤに対応する第２形式の前記第２サービスプロバイダＩＤを確定することは、
前記サービスプロバイダの第１形式のサービスプロバイダＩＤと第２形式のサービスプロバイダＩＤとのマッピング関係を取得し、該マッピング関係に基づいて、前記端末機器のアクセス先の前記サービスプロバイダの第１形式の前記第１サービスプロバイダＩＤに対応する第２形式の前記第２サービスプロバイダＩＤを確定すること、
または、前記アクセス機器にサポートされる前記サービスプロバイダの第１形式の前記第１サービスプロバイダＩＤに対応する第２形式の前記第２サービスプロバイダＩＤを算出すること、
または、前記アクセス機器にサポートされる前記サービスプロバイダの第１形式の前記第１サービスプロバイダＩＤのうちの指定位置から抽出されるパラメータから、対応する第２形式の前記第２サービスプロバイダＩＤを生成すること、
または、アクセス先の前記サービスプロバイダの第１形式の前記第１サービスプロバイダＩＤの指定部分を、対応する第２形式の前記第２サービスプロバイダＩＤとすることを含む請求項１に記載の方法。
【請求項４】
前記第１アクセス機器にサポートされて前記第３サービスプロバイダＩＤに対応する第１形式の前記第４サービスプロバイダＩＤを確定することは、
前記サービスプロバイダの第１形式のサービスプロバイダＩＤと第２形式のサービスプロバイダＩＤとのマッピング関係を取得することと、
該マッピング関係に基づいて、前記第１アクセス機器にサポートされて前記第３サービスプロバイダＩＤに対応する第１形式の前記第４サービスプロバイダＩＤを確定することとを含む請求項１に記載の方法。
【請求項５】
前記サービスプロバイダの第１形式の前記サービスプロバイダＩＤと第２形式の前記サービスプロバイダＩＤとの前記マッピング関係を取得することは、
初回でネットワークにアクセスする際に、該ネットワークにサポートされてアクセス先のサービスプロバイダの第１形式の第５サービスプロバイダＩＤを使用して前記端末機器の登録を行うことと、
登録完了後に、前記サービスプロバイダの第１形式の前記サービスプロバイダＩＤと第２形式の前記サービスプロバイダＩＤとの前記マッピング関係を前記ネットワークのサーバからダウンロードし、それから前記第５サービスプロバイダＩＤに対応するネットワークからログアウトすることとを含む請求項３または請求項４に記載の方法。
【請求項６】
初回で前記ネットワークにアクセスする際に、該ネットワークにサポートされてアクセス先の前記サービスプロバイダの第１形式の前記第５サービスプロバイダＩＤを使用して登録を行うことは、
初回で前記ネットワークにアクセスする際に、該ネットワークの第２アクセス機器に第１接続確立要求メッセージを送信することと、
無線接続確立が完了すると、前記ネットワークにサポートされてアクセス先の前記サービスプロバイダの第１形式の前記第５サービスプロバイダＩＤが付帯される第１アタッチ要求メッセージを、前記第２アクセス機器に対応する第１移動性管理エンティティに送信して前記端末機器の登録を行うこととを含む請求項５に記載の方法。
【請求項７】
前記サービスプロバイダの第１形式の前記サービスプロバイダＩＤと第２形式の前記サービスプロバイダＩＤとの前記マッピング関係を取得することは、
前記サービスプロバイダの第１形式の前記サービスプロバイダＩＤと第２形式の前記サービスプロバイダＩＤとの前記マッピング関係を、非アクセス層ＮＡＳメッセージによって取得することを含む請求項３または請求項４に記載の方法。
【請求項８】
前記サービスプロバイダの第１形式の前記サービスプロバイダＩＤと第２形式の前記サービスプロバイダＩＤとの前記マッピング関係を、前記非アクセス層ＮＡＳメッセージによって取得することは、
前記端末機器が前記第１アクセス機器を選択すると、該第１アクセス機器に第２接続確立要求メッセージを送信することと、
前記第１アクセス機器との無線接続確立が完了すると、アクセス先の前記サービスプロバイダの第１形式の前記第１サービスプロバイダＩＤが付帯される第２アタッチ要求ＮＡＳメッセージを、前記第１アクセス機器に対応する第２移動性管理エンティティに送信することと、
前記サービスプロバイダの第１形式の前記サービスプロバイダＩＤと第２形式の前記サービスプロバイダＩＤとの前記マッピング関係が含まれるアタッチ受信ＮＡＳメッセージを、前記第２移動性管理エンティティから受信すること、または、前記サービスプロバイダの第１形式の前記サービスプロバイダＩＤと第２形式の前記サービスプロバイダＩＤとの前記マッピング関係が含まれるアタッチ拒否ＮＡＳメッセージを、前記第２移動性管理エンティティから受信し、それから改めて他のアクセス機器を選択して前記サービスプロバイダにアクセスすることを含む請求項７に記載の方法。
【請求項９】
前記第１アクセス機器にサポートされる第１形式の前記サービスプロバイダＩＤにアクセス先の前記サービスプロバイダの第１形式の前記第１サービスプロバイダＩＤが含まれるかを確定することをさらに含み、そうであると、引き続き前記第１アクセス機器を介して前記サービスプロバイダにアクセスするが、そうでなければ、改めて他のアクセス機器を選択して前記サービスプロバイダにアクセスする請求項１に記載の方法。
【請求項１０】
アクセス機器に用いられるサービスプロバイダＩＤ提供方法において、
前記アクセス機器にサポートされるサービスプロバイダの第１形式の第１サービスプロバイダＩＤに対応する第２形式の第２サービスプロバイダＩＤを確定することと、
前記アクセス機器に接続される端末機器に前記第２サービスプロバイダＩＤを送信することとを含むサービスプロバイダＩＤ提供方法。
【請求項１１】
前記アクセス機器にサポートされる前記サービスプロバイダの第１形式の前記第１サービスプロバイダＩＤに対応する第２形式の前記第２サービスプロバイダＩＤを確定することは、
前記サービスプロバイダの第１形式の前記サービスプロバイダＩＤと第２形式の前記サービスプロバイダＩＤとのマッピング関係を取得し、該マッピング関係に基づいて、前記アクセス機器にサポートされる前記サービスプロバイダの第１形式の前記第１サービスプロバイダＩＤに対応する第２形式の前記第２サービスプロバイダＩＤを確定すること、
または、前記アクセス機器にサポートされる前記サービスプロバイダの第１形式の前記第１サービスプロバイダＩＤに対応する第２形式の前記第２サービスプロバイダＩＤを算出すること、
または、前記アクセス機器にサポートされる前記サービスプロバイダの第１形式の前記第１サービスプロバイダＩＤのうちの指定位置から抽出されるパラメータから、対応する第２形式の前記第２サービスプロバイダＩＤを生成すること、
または、前記端末機器のアクセス先の前記サービスプロバイダの第１形式の前記第１サービスプロバイダＩＤの指定部分を、対応する第２形式の前記第２サービスプロバイダＩＤとすることを含む請求項１０に記載の方法。
【請求項１２】
前記アクセス機器に接続される前記端末機器に前記第２サービスプロバイダＩＤを送信することは、
送信される該第２サービスプロバイダＩＤの数が所定の閾値を超えると、送信される前記第２サービスプロバイダＩＤの優先度順に、前記アクセス機器に接続される前記端末機器に前記第２サービスプロバイダＩＤを送信することを含み、ここで、該第２サービスプロバイダＩＤの優先度は、対応する前記第１サービスプロバイダＩＤに関連する請求項１０に記載の方法。
【請求項１３】
前記サービスプロバイダの少なくとも１つの第１形式のサービスプロバイダＩＤが１つの第２形式のサービスプロバイダＩＤに対応し、かつ該第２形式のサービスプロバイダＩＤの長さが第１形式の前記サービスプロバイダＩＤの長さより小さい請求項１０から請求項１２のいずれかに記載の方法。
【請求項１４】
端末機器に用いられるサービスプロバイダＩＤ提供チップにおいて、
プロセッサと、
該プロセッサに実行されることのできる指令が記憶されているメモリとを備え、
前記指令が実行されると、前記プロセッサは、
アクセス先のサービスプロバイダの第１形式の第１サービスプロバイダＩＤに対応する第２形式の第２サービスプロバイダＩＤを確定することと、
第１アクセス機器から送信される第２形式の第３サービスプロバイダＩＤを取得し、該第３サービスプロバイダＩＤに前記第２サービスプロバイダＩＤが含まれると、前記第１アクセス機器を選択して前記サービスプロバイダにアクセスすること、および／または、
前記第１アクセス機器から送信される第２形式の前記第３サービスプロバイダＩＤを取得し、前記第１アクセス機器にサポートされて前記第３サービスプロバイダＩＤに対応する第１形式の第４サービスプロバイダＩＤを確定し、該第４サービスプロバイダＩＤに前記第１サービスプロバイダＩＤが含まれると、前記第１アクセス機器を選択して前記サービスプロバイダにアクセスすることを実行するサービスプロバイダＩＤ提供チップ。
【請求項１５】
アクセス機器に用いられるサービスプロバイダＩＤ提供チップにおいて、
プロセッサと、
該プロセッサに実行されることのできる指令が記憶されているメモリとを備え、
前記指令が実行されると、前記プロセッサは、
アクセス機器にサポートされるサービスプロバイダの第１形式の第１サービスプロバイダＩＤに対応する第２形式の第２サービスプロバイダＩＤを確定することと、
前記アクセス機器に接続される端末機器に前記第２サービスプロバイダＩＤを送信することとを実行するサービスプロバイダＩＤ提供チップ。
【手続補正３】
【補正対象書類名】明細書
【補正対象項目名】０００２
【補正方法】変更
【補正の内容】
【０００２】
本発明は、通信技術分野に関し、特にサービスプロバイダＩＤ提供方法およびサービスプロバイダＩＤ提供チップに関する。
【手続補正４】
【補正対象書類名】明細書
【補正対象項目名】００１０
【補正方法】変更
【補正の内容】
【００１０】
本発明が解決しようとする技術課題は、ＭＦアクセス機器にサポートされる長形式のＰＳＰ‐ＩＤをＵＥに知らせるメカニズムを実現してネットワークアクセス成功率を向上させるために、サービスプロバイダＩＤ提供方法およびサービスプロバイダＩＤ提供チップを提供することである。
【手続補正５】
【補正対象書類名】明細書
【補正対象項目名】０１３８
【補正方法】削除
【補正の内容】
【手続補正６】
【補正対象書類名】明細書
【補正対象項目名】０１３９
【補正方法】削除
【補正の内容】
【手続補正７】
【補正対象書類名】明細書
【補正対象項目名】０１４０
【補正方法】削除
【補正の内容】
【手続補正８】
【補正対象書類名】明細書
【補正対象項目名】０１４１
【補正方法】削除
【補正の内容】
【手続補正９】
【補正対象書類名】明細書
【補正対象項目名】０１４２
【補正方法】削除
【補正の内容】
【手続補正１０】
【補正対象書類名】明細書
【補正対象項目名】０１４３
【補正方法】削除
【補正の内容】
【手続補正１１】
【補正対象書類名】明細書
【補正対象項目名】０１４４
【補正方法】削除
【補正の内容】
【手続補正１２】
【補正対象書類名】明細書
【補正対象項目名】０１４５
【補正方法】削除
【補正の内容】
【手続補正１３】
【補正対象書類名】明細書
【補正対象項目名】０１４６
【補正方法】削除
【補正の内容】
【手続補正１４】
【補正対象書類名】明細書
【補正対象項目名】０１４７
【補正方法】削除
【補正の内容】
【手続補正１５】
【補正対象書類名】明細書
【補正対象項目名】０１４８
【補正方法】削除
【補正の内容】
【手続補正１６】
【補正対象書類名】明細書
【補正対象項目名】０１４９
【補正方法】削除
【補正の内容】
【手続補正１７】
【補正対象書類名】明細書
【補正対象項目名】０１５０
【補正方法】削除
【補正の内容】
【手続補正１８】
【補正対象書類名】明細書
【補正対象項目名】０１５１
【補正方法】削除
【補正の内容】
【手続補正１９】
【補正対象書類名】明細書
【補正対象項目名】０１５２
【補正方法】削除
【補正の内容】
【手続補正２０】
【補正対象書類名】明細書
【補正対象項目名】０１５３
【補正方法】削除
【補正の内容】
【手続補正２１】
【補正対象書類名】明細書
【補正対象項目名】０１５４
【補正方法】削除
【補正の内容】
【手続補正２２】
【補正対象書類名】明細書
【補正対象項目名】０１５５
【補正方法】削除
【補正の内容】
【手続補正２３】
【補正対象書類名】明細書
【補正対象項目名】０１５６
【補正方法】削除
【補正の内容】
【手続補正２４】
【補正対象書類名】明細書
【補正対象項目名】０１５７
【補正方法】削除
【補正の内容】
【手続補正２５】
【補正対象書類名】明細書
【補正対象項目名】０１５８
【補正方法】削除
【補正の内容】
【手続補正２６】
【補正対象書類名】明細書
【補正対象項目名】０１５９
【補正方法】削除
【補正の内容】
【手続補正２７】
【補正対象書類名】明細書
【補正対象項目名】０１６０
【補正方法】削除
【補正の内容】
【手続補正２８】
【補正対象書類名】明細書
【補正対象項目名】０１６１
【補正方法】削除
【補正の内容】
【手続補正２９】
【補正対象書類名】明細書
【補正対象項目名】０１６２
【補正方法】削除
【補正の内容】
【手続補正３０】
【補正対象書類名】明細書
【補正対象項目名】０１６３
【補正方法】削除
【補正の内容】
【手続補正３１】
【補正対象書類名】明細書
【補正対象項目名】０１６４
【補正方法】削除
【補正の内容】
【手続補正３２】
【補正対象書類名】明細書
【補正対象項目名】０１６５
【補正方法】削除
【補正の内容】
【手続補正３３】
【補正対象書類名】明細書
【補正対象項目名】０１６６
【補正方法】削除
【補正の内容】
【手続補正３４】
【補正対象書類名】明細書
【補正対象項目名】０１６７
【補正方法】削除
【補正の内容】
【手続補正３５】
【補正対象書類名】明細書
【補正対象項目名】０１６８
【補正方法】削除
【補正の内容】
【手続補正３６】
【補正対象書類名】明細書
【補正対象項目名】０１６９
【補正方法】削除
【補正の内容】
【手続補正３７】
【補正対象書類名】明細書
【補正対象項目名】０１７０
【補正方法】削除
【補正の内容】
【手続補正３８】
【補正対象書類名】明細書
【補正対象項目名】０１７１
【補正方法】削除
【補正の内容】
【手続補正３９】
【補正対象書類名】明細書
【補正対象項目名】０１７２
【補正方法】削除
【補正の内容】
【手続補正４０】
【補正対象書類名】明細書
【補正対象項目名】０１７３
【補正方法】削除
【補正の内容】
【手続補正４１】
【補正対象書類名】明細書
【補正対象項目名】０１７４
【補正方法】削除
【補正の内容】
【手続補正４２】
【補正対象書類名】明細書
【補正対象項目名】０１７５
【補正方法】削除
【補正の内容】
【手続補正４３】
【補正対象書類名】明細書
【補正対象項目名】０１７６
【補正方法】削除
【補正の内容】
【手続補正４４】
【補正対象書類名】明細書
【補正対象項目名】０１７７
【補正方法】削除
【補正の内容】
【国際調査報告】
2019507989.tif 000021
2019507989.tif 000022
2019507989.tif 000023
2019507989.tif 000024